(57)【要約】      （修正有）【課題】第１設定作動距離よりも小さな値の第２設定作動距離に設定された第２測定部を、一方の被検眼に適合する位置から他方の被検眼に適合する位置へと自動で適切に移動させることのできる眼科装置を提供する。【解決手段】被検者の被検眼Ｅを測定すべく第１設定作動距離ｄ１に設定された第１測定部４０と、被検眼Ｅを測定すべく第１設定作動距離ｄ１よりも短い第２設定作動距離ｄ２に設定された第２測定部２０と、被検眼Ｅに対して第１測定部と第２測定部とを移動させる駆動部と、第１測定部と第２測定部と駆動部とを制御する制御部と、を備える眼科装置１０である。制御部は、第１測定部を用いて左右の被検眼Ｅを測定すべく第１測定部を移動させた際に左右の被検眼Ｅの両眼間隔を求め、第２測定部を用いて一方の被検眼Ｅを測定した後、求めた両眼間隔だけ他方の被検眼Ｅ側へと第２測定部を移動させる。【選択図】図５
2015112438.tif 000002
【特許請求の範囲】
【請求項１】
被検者の被検眼を測定するために第１設定作動距離に設定された第１測定部と、
前記被検眼を測定するために前記第１設定作動距離よりも短い第２設定作動距離に設定された第２測定部と、
前記被検眼に対して前記第１測定部と前記第２測定部とを移動させる駆動部と、
前記第１測定部と前記第２測定部と前記駆動部とを制御する制御部と、を備え、
前記制御部は、前記第１測定部を用いて前記被検者の左右の前記被検眼を測定すべく前記第１測定部を移動させた際に左右の前記被検眼の両眼間隔を求め、前記第２測定部を用いて一方の前記被検眼を測定した後、求めた前記両眼間隔だけ他方の前記被検眼側へと前記第２測定部を移動させることを特徴とする眼科装置。
【請求項２】
前記制御部は、前記第２測定部を用いて一方の前記被検眼を測定した後、一方の前記被検眼に対する前記第２測定部のアライメントを行ってから求めた前記両眼間隔だけ他方の前記被検眼側へと前記第２測定部を移動させることを特徴とする請求項１に記載の眼科装置。
【請求項３】
前記制御部は、一方の前記被検眼に対してアライメントを行った前記第１測定部の位置と、他方の前記被検眼に対してアライメントを行った前記第１測定部の位置と、に基づいて前記両眼間隔を求めることを特徴とする請求項１または請求項２に記載の眼科装置。
【請求項４】
前記制御部は、前記第１測定部を用いて一方の前記被検眼を測定した後に一方の前記被検眼に対してアライメントを行った前記第１測定部の位置と、その後に他方の前記被検眼に対してアライメントを行った前記第１測定部の位置と、に基づいて前記両眼間隔を求めることを特徴とする請求項３に記載の眼科装置。
【請求項５】
前記第２測定部は、前記被検眼の角膜に流体を吹き付けて前記角膜を変形させて眼圧を測定する眼圧測定部であることを特徴とする請求項１から請求項４のいずれか１項に記載の眼科装置。
【請求項６】
前記第１測定部は、前記被検眼の前眼部の画像を取得する第１観察光学系を有し、
前記制御部は、前記第１観察光学系で取得した前記前眼部の画像に基づいて前記前眼部における瞳孔の位置を取得可能であり、前記第１測定部を用いて一方の前記被検眼を測定した後、前記前眼部の画像に基づいて取得した他方の前記被検眼の瞳孔の位置を目標として他方の前記被検眼側へと前記第１測定部を移動させることを特徴とする請求項１から請求項５のいずれか１項に記載の眼科装置。
【請求項７】
前記制御部は、前記両眼間隔として前記眼科装置における互いに直交する上下方向と左右方向と前後方向とのそれぞれの前記第１測定部の移動量を求め、前記両眼間隔として求めた前記上下方向と前記左右方向と前記前後方向とのそれぞれの移動量で前記第２測定部を移動させることを特徴とする請求項１から請求項６のいずれか１項に記載の眼科装置。
【請求項８】
前記制御部は、左右の前記被検眼の角膜頂点の位置から前記両眼間隔を求めることを特徴とする請求項１から請求項７のいずれか１項に記載の眼科装置。
【請求項９】
前記第１測定部は、前記被検眼の前眼部の画像を取得する第１観察光学系を有し、
前記第２測定部は、前記被検眼の前眼部の画像を取得する第２観察光学系を有し、
前記第２観察光学系は、前記第１観察光学系よりも高い倍率に設定されていることを特徴とする請求項１から請求項８のいずれか１項に記載の眼科装置。
【発明の詳細な説明】
【技術分野】
【０００１】
本発明は、第１設定作動距離に設定された第１測定部と、第２設定作動距離に設定された第２測定部と、が設けられた複合型の眼科装置に関する。
【背景技術】
【０００２】
眼科装置では、第１設定作動距離に設定された第１測定部と、その第１設定作動距離よりも短い第２設定作動距離に設定された第２測定部と、が設けられた複合型の眼科装置が提案されている（例えば、特許文献１参照）。この眼科装置では、第２測定部として、第２設定作動距離が非常に小さな値とされた眼圧測定部が設けられており、第１測定部として、第１設定作動距離が比較的大きな値とされたその他の眼特性測定部が設けられている。眼科装置では、第１測定部を被検者の両被検眼に対して適切に測定が行える位置へと自動で移動させて各々測定を行うとともに、第２測定部を被検者の両被検眼に対して適切に測定が行える位置へと自動で移動させて各々測定を行う。これにより、眼科装置では、第１測定部と第２測定部とによる各被検眼の測定を、簡易にかつ円滑に行うことができる。
【先行技術文献】
【特許文献】
【０００３】
【特許文献１】特開２０１０−１４８５８９号公報
【発明の概要】
【発明が解決しようとする課題】
【０００４】
しかしながら、上記した従来の眼科装置では、第１測定部および第２測定部を、一方の被検眼に適合する位置から他方の被検眼に適合する位置へと自動で移動させる必要が生じるが、この移動距離すなわち両被検眼の両眼間隔は被検者によって異なるものである。このため、多数の被検者の両眼間隔の平均値を利用して移動させることが考えられるが、全ての被検者に適切に対応することは困難である。
【０００５】
このことから、第１測定部および第２測定部のそれぞれにおいて観察光学系で取得した被検眼の画像を利用して、被検眼（その瞳孔等）を検出して移動の目標とすることが考えられる。ところが、第２測定部では、第２設定作動距離が非常に小さな値とされていることから、一方の被検眼に適合する位置から他方の被検眼に適合する位置へと移動させる際、被検者の鼻等への干渉を起こさないように後退させて被検眼から離れた状態とする必要がある。このため、第２測定部では、第２設定作動距離よりも大きく離れた状態で被検眼（瞳孔等）を検出することとなるので、自らに設けられて第２設定作動距離に適合する観察光学系では被検眼（瞳孔等）を適切に検出出来ない場面が生じてしまう虞がある。
【０００６】
本発明は、上記の事情に鑑みて為されたもので、第１設定作動距離よりも小さな値の第２設定作動距離に設定された第２測定部を、一方の被検眼に適合する位置から他方の被検眼に適合する位置へと自動で適切に移動させることのできる眼科装置を提供することを目的とする。
【課題を解決するための手段】
【０００７】
上記した課題を解決するために、請求項１に記載の眼科装置は、被検者の被検眼を測定するために第１設定作動距離に設定された第１測定部と、前記被検眼を測定するために前記第１設定作動距離よりも短い第２設定作動距離に設定された第２測定部と、前記被検眼に対して前記第１測定部と前記第２測定部とを移動させる駆動部と、前記第１測定部と前記第２測定部と前記駆動部とを制御する制御部と、を備え、前記制御部は、前記第１測定部を用いて前記被検者の左右の前記被検眼を測定すべく前記第１測定部を移動させた際に左右の前記被検眼の両眼間隔を求め、前記第２測定部を用いて一方の前記被検眼を測定した後、求めた前記両眼間隔だけ他方の前記被検眼側へと前記第２測定部を移動させることを特徴とする。
【０００８】
請求項２の眼科装置は、請求項１に記載の眼科装置であって、前記制御部は、前記第２測定部を用いて一方の前記被検眼を測定した後、一方の前記被検眼に対する前記第２測定部のアライメントを行ってから求めた前記両眼間隔だけ他方の前記被検眼側へと前記第２測定部を移動させることを特徴とする。
【０００９】
請求項３の眼科装置は、請求項１または請求項２に記載の眼科装置であって、前記制御部は、一方の前記被検眼に対してアライメントを行った前記第１測定部の位置と、他方の前記被検眼に対してアライメントを行った前記第１測定部の位置と、に基づいて前記両眼間隔を求めることを特徴とする。
【００１０】
請求項４の眼科装置は、請求項３に記載の眼科装置であって、前記制御部は、前記第１測定部を用いて一方の前記被検眼を測定した後に一方の前記被検眼に対してアライメントを行った前記第１測定部の位置と、その後に他方の前記被検眼に対してアライメントを行った前記第１測定部の位置と、に基づいて前記両眼間隔を求めることを特徴とする。
【００１１】
請求項５の眼科装置は、請求項１から請求項４のいずれか１項に記載の眼科装置であって、前記第２測定部は、前記被検眼の角膜に流体を吹き付けて前記角膜を変形させて眼圧を測定する眼圧測定部であることを特徴とする。
【００１２】
請求項６の眼科装置は、請求項１から請求項５のいずれか１項に記載の眼科装置であって、前記第１測定部は、前記被検眼の前眼部の画像を取得する第１観察光学系を有し、前記制御部は、前記第１観察光学系で取得した前記前眼部の画像に基づいて前記前眼部における瞳孔の位置を取得可能であり、前記第１測定部を用いて一方の前記被検眼を測定した後、前記前眼部の画像に基づいて取得した他方の前記被検眼の瞳孔の位置を目標として他方の前記被検眼側へと前記第１測定部を移動させることを特徴とする。
【００１３】
請求項７の眼科装置は、請求項１から請求項６のいずれか１項に記載の眼科装置であって、前記制御部は、前記両眼間隔として前記眼科装置における互いに直交する上下方向と左右方向と前後方向とのそれぞれの前記第１測定部の移動量を求め、前記両眼間隔として求めた前記上下方向と前記左右方向と前記前後方向とのそれぞれの移動量で前記第２測定部を移動させることを特徴とする。
【００１４】
請求項８の眼科装置は、請求項１から請求項７のいずれか１項に記載の眼科装置であって、前記制御部は、左右の前記被検眼の角膜頂点の位置から前記両眼間隔を求めることを特徴とする。
【００１５】
請求項９の眼科装置は、請求項１から請求項８のいずれか１項に記載の眼科装置であって、前記第１測定部は、前記被検眼の前眼部の画像を取得する第１観察光学系を有し、前記第２測定部は、前記被検眼の前眼部の画像を取得する第２観察光学系を有し、前記第２観察光学系は、前記第１観察光学系よりも高い倍率に設定されていることを特徴とする。
【発明の効果】
【００１６】
本発明の眼科装置によれば、第１設定作動距離よりも小さな値の第２設定作動距離に設定された第２測定部を、一方の被検眼に適合する位置から他方の被検眼に適合する位置へと自動で適切に移動させることができる。
【００１７】
上記した構成に加えて、前記制御部は、前記第２測定部を用いて一方の前記被検眼を測定した後、一方の前記被検眼に対する前記第２測定部のアライメントを行ってから求めた前記両眼間隔だけ他方の前記被検眼側へと前記第２測定部を移動させることとすると、より適切に他方の被検眼に対向する位置へと自動で第２測定部を移動させることができる。
【００１８】
上記した構成に加えて、前記制御部は、一方の前記被検眼に対してアライメントを行った前記第１測定部の位置と、他方の前記被検眼に対してアライメントを行った前記第１測定部の位置と、に基づいて前記両眼間隔を求めることとすると、より適切に両眼間隔を求めることができる。
【００１９】
上記した構成に加えて、前記制御部は、前記第１測定部を用いて一方の前記被検眼を測定した後に一方の前記被検眼に対してアライメントを行った前記第１測定部の位置と、その後に他方の前記被検眼に対してアライメントを行った前記第１測定部の位置と、に基づいて前記両眼間隔を求めることとすると、被検者が顔を動かしてしまった場合であっても、適切に両眼間隔を求めることができる。
【００２０】
上記した構成に加えて、前記第２測定部は、前記被検眼の角膜に流体を吹き付けて前記角膜を変形させて眼圧を測定する眼圧測定部であることとすると、流体の吹き付けにより被検者が顔を動かしてしまった場合であっても、より適切に他方の被検眼に対向する位置へと自動で第２測定部を移動させることができる。
【００２１】
上記した構成に加えて、前記第１測定部は、前記被検眼の前眼部の画像を取得する第１観察光学系を有し、前記制御部は、前記第１観察光学系で取得した前記前眼部の画像に基づいて前記前眼部における瞳孔の位置を取得可能であり、前記第１測定部を用いて一方の前記被検眼を測定した後、前記前眼部の画像に基づいて取得した他方の前記被検眼の瞳孔の位置を目標として他方の前記被検眼側へと前記第１測定部を移動させることとすると、第１測定部により高い精度で両眼間隔を求めることができ、その両眼間隔を用いて第２測定部を他方の被検眼側へと移動させるので、当該第２測定部を他方の被検眼に対向する位置へと自動で適切に移動させることができる。
【００２２】
上記した構成に加えて、前記制御部は、前記両眼間隔として前記眼科装置における互いに直交する上下方向と左右方向と前後方向とのそれぞれの前記第１測定部の移動量を求め、前記両眼間隔として求めた前記上下方向と前記左右方向と前記前後方向とのそれぞれの移動量で前記第２測定部を移動させることとすると、移動のための制御を簡易なものとしつつ、第２測定部を他方の被検眼とより適切に対向する位置へと自動で移動させることができる。
【００２３】
上記した構成に加えて、前記制御部は、左右の前記被検眼の角膜頂点の位置から前記両眼間隔を求めることとすると、例えば、第２測定部が被検眼の角膜の角膜頂点（その位置）に光軸を一致させて測定を行うものである場合、その第２測定部の態様により適切に合致させることができ、第２測定部を他方の被検眼とより適切に対向する位置へと自動で移動させることができる。
【００２４】
上記した構成に加えて、前記第１測定部は、前記被検眼の前眼部の画像を取得する第１観察光学系を有し、前記第２測定部は、前記被検眼の前眼部の画像を取得する第２観察光学系を有し、前記第２観察光学系は、前記第１観察光学系よりも高い倍率に設定されていることとすると、両眼間隔を用いて第２測定部を他方の被検眼側へと移動させることを、より効果的なものとすることができる。
【図面の簡単な説明】
【００２５】
【図１】本発明に係る実施例の眼科装置１０の構成を模式的に示す説明図である。
【図２】眼科装置１０の眼圧測定部２０の光学的な構成を説明するための説明図である。
【図３】眼科装置１０の眼圧測定部２０の光学的な構成を説明するための図２とは異なる方向から見た説明図である。
【図４】眼科装置１０の眼特性測定部４０の光学的な構成を説明するための説明図である。
【図５】装置本体部１３を移動させて測定モードを切り替える様子を説明するための説明図であり、（ａ）は眼圧測定モードとされた状態を示し、（ｂ）は眼特性測定モードとされた状態を示す。
【図６】装置本体部１３と額当部１６との位置関係を用いて所定の高さ位置ＨＬおよび所定の前方位置ＦＬを説明するための説明図であり、（ａ）は所定の高さ位置ＨＬを示し、（ｂ）は所定の前方位置ＦＬを示す。
【図７】眼科装置１０の眼特性測定部４０において、左側の被検眼ＥＬに適合する位置から、右側の被検眼ＥＲに適合する位置への切換動作を説明するための説明図であり、（ａ）は左側の被検眼ＥＬに眼特性測定部４０の主光軸Ｏ１０が合わせられた様子を示し、（ｂ）は右側の被検眼ＥＲに眼特性測定部４０の主光軸Ｏ１０が合わせられた様子を示す。
【図８】装置本体部１３（眼特性測定部４０）を被検眼ＥＬ側から被検眼ＥＲ側へと移動した際の観察光学系４２で取得される画像（そのデータ）において両被検眼Ｅが移動する様子を説明するための説明図であり、（ａ）は被検眼ＥＬが画像から外れていく場面を示し、（ｂ）は（ａ）の後であって被検眼ＥＲが画像に入り始めた場面を示し、（ｃ）は（ｂ）の後であって被検眼ＥＲの瞳孔Ｅｐが画像に入った場面を示す。
【図９】本実施例における制御部３３にて実行される左右眼切換動作処理（左右眼切換動作方法）を示すフローチャートである。
【図１０】眼科装置１０の眼圧測定部２０において、右側の被検眼ＥＲに適合する位置から、左側の被検眼ＥＬに適合する位置への切換動作を説明するための説明図であり、（ａ）は右側の被検眼ＥＲに眼圧測定部２０の光軸Ｏ１が合わせられた様子を示し、（ｂ）は（ａ）の状態から眼圧測定部２０が後退する様子を示し、（ｃ）は（ｂ）の状態から眼圧測定部２０がＸ軸方向へ移動して左側の被検眼ＥＬに眼圧測定部２０の光軸Ｏ１が合わせられた様子を示し、（ｄ）は（ｃ）の状態から眼圧測定部２０が被検眼ＥＬ側に移動された様子を示している。
【図１１】前眼部観察光学系２１で取得される画像（そのデータ）において、ピントのずれた状態の気流吹付ノズル２１ｂが存在している様子を示す説明図である。
【発明を実施するための形態】
【００２６】
以下に、本願発明に係る眼科装置の発明の実施の形態について図面を参照しつつ説明する。
【実施例】
【００２７】
本発明に係る眼科装置の一実施例としての眼科装置１０を、図１から図１１を用いて説明する。眼科装置１０は、図１に示すように、被検眼Ｅ（図２等参照）の眼圧を測定する眼圧測定部２０と、被検眼Ｅのその他の光学特性（眼特性）を測定する眼特性測定部４０と、を備える複合型の眼科装置である。その被検眼Ｅについては、図２および図３では、眼底（網膜）Ｅｆ、角膜（前眼部）Ｅｃおよび角膜頂点Ｅａを示している。その眼科装置１０は、ベース１１に駆動部１２を介して装置本体部１３が設けられて構成されている。その装置本体部１３には、内方に眼圧測定部２０および眼特性測定部４０が設けられ、外方に表示部１４、顎受部１５および額当部１６が設けられている。
【００２８】
その表示部１４は、液晶ディスプレイで形成されており、後述する制御部３３（図２参照）の制御下で、被検眼Ｅの前眼部像等の画像や検査結果等を表示させる。表示部１４は、本実施例では、タッチパネルの機能を搭載しており、眼圧測定部２０または眼特性測定部４０を用いて測定を行うための操作や、手動により装置本体部１３を移動するための操作を行うことが可能とされている。また、表示部１４は、タッチパネルの機能を利用して、後述する各測定モードにおいて切替アイコンを表示し、当該切替アイコンに触れることによる各測定モードの切り替え操作を可能としている。なお、測定を行うための操作は、測定スイッチを設けて、当該測定スイッチの操作により行うものであってもよい。また、装置本体部１３を移動するための操作は、コントロールレバーや移動操作スイッチを設けて、当該コントロールレバーや当該移動操作スイッチの操作により行うものであってもよい。
【００２９】
顎受部１５および額当部１６は、測定時に装置本体部１３に対して被検者（患者）の顔、すなわち被検眼Ｅの位置を固定するものであり、ベース１１に固定されて設けられている。その顎受部１５は、被検者が顎を載せる箇所となり、額当部１６は、当該被検者が額を宛がう箇所となる。この眼科装置１０では、表示部１４と、顎受部１５および額当部１６と、が、装置本体部１３を挟んだ両側に設けられており、通常の使用時において、表示部１４が検者の側となり、顎受部１５および額当部１６が被検者の側となる。その表示部１４は、装置本体部１３に回転自在に支持されており、表示面の向きを変更すること、例えば、表示面を被検者側に向けることや、表示面を側方（Ｘ軸方向）に向けることが可能とされている。その装置本体部１３は、駆動部１２により、ベース１１に対して移動すること、すなわち顎受部１５と額当部１６とにより固定された被検眼Ｅ（被検者の顔）に対して移動することが可能とされている。
【００３０】
その駆動部１２は、装置本体部１３をベース１１に対して、上下方向（Ｙ軸方向）と、前後方向（Ｚ軸方向（図１を正面視して左右方向））と、それらに直交する左右方向（Ｘ軸方向（図１の紙面に直交する方向）と、に移動させる。なお、この実施例では、上下方向の上側をＹ軸方向の正側とし、前後方向の被検者側（図１を正面視して右側）をＺ軸方向の正側とし、左右方向において図１を正面視して手前側をＸ軸方向の正側とする（図１の矢印参照）。本実施例では、駆動部１２は、Ｙ軸駆動部分１２ａとＺ軸駆動部分１２ｂとＸ軸駆動部分１２ｃとを有する。
【００３１】
Ｙ軸駆動部分１２ａは、ベース１１に設けられており、Ｚ軸駆動部分１２ｂおよびＸ軸駆動部分１２ｃを介して、ベース１１に対して装置本体部１３をＹ軸方向（上下方向）へと移動（変位）させる。換言すると、Ｙ軸駆動部分１２ａは、駆動部１２において、装置本体部１３をＹ軸方向（上下方向）へと移動させるための箇所となる。このＹ軸駆動部分１２ａは、支持支柱１２ｄとＹ軸移動枠１２ｅとを有する。その支持支柱１２ｄは、ベース１１に固定されて設けられており、そのベース１１からＹ軸方向へと伸びて設けられている。Ｙ軸移動枠１２ｅは、その支持支柱１２ｄを取り囲むことが可能な枠形状とされており、図示を略すＹ軸ガイド部材を介してＹ軸方向への相対的な移動が可能に当該支持支柱１２ｄに取り付けられている。そのＹ軸移動枠１２ｅは、支持支柱１２ｄ（ベース１１）に対するＹ軸方向での移動可能な範囲が、後述する眼圧測定モード（図５（ａ）参照）において眼圧測定部２０を最も下方（負側）に位置させることと、後述する眼特性測定モード（図５（ｂ）参照）において眼特性測定部４０を最も上方（正側）に位置させることと、を可能とするように設定されている。
【００３２】
そのＹ軸移動枠１２ｅでは、図示は略すが、支持支柱１２ｄとの間に弾性部材が設けられており、その弾性部材から上方へ向けて押す力が付与されている。その弾性部材は、本実施例では、螺旋状とされた線材により構成され、無負荷状態において最も縮み、一端と他端とを離間させる動作に抗する弾性力を発揮する引張バネを用いている。すなわち、Ｙ軸移動枠１２ｅは、弾性部材により支持支柱１２ｄに対して吊り下げる構成とされている。Ｙ軸移動枠１２ｅは、Ｙ軸ガイド部材により支持支柱１２ｄ（ベース１１）に対する相対的な移動方向がＹ軸方向に規定された状態で、弾性部材を介して支持支柱１２ｄ（ベース１１）に支持されている。なお、弾性部材は、支持支柱１２ｄ（ベース１１）に対してＹ軸方向へと押す力をＹ軸移動枠１２ｅに付与して当該Ｙ軸移動枠１２ｅを支持するものであれば、圧縮バネを用いるものであってもよく、その他の構成であってもよく、本実施例に限定されるものではない。その圧縮バネは、螺旋状とされた線材により構成され、無負荷状態において最も伸びて、一端と他端とを接近させる動作に抗する弾性力を発揮するものである。この圧縮バネを用いる場合、支持支柱１２ｄもしくはベース１１が当該圧縮バネを介してＹ軸移動枠１２ｅを下から支える構成とすればよい。
【００３３】
Ｙ軸駆動部分１２ａには、支持支柱１２ｄに対してＹ軸移動枠１２ｅをＹ軸方向へと移動させる移動力を付与する駆動力伝達機構が設けられている。Ｙ軸駆動部分１２ａでは、上方への移動力を駆動力伝達機構からＹ軸移動枠１２ｅに付与することで当該Ｙ軸移動枠１２ｅを弾性部材が釣り合う位置からＹ軸方向正側へと移動させ、下方への移動力を駆動力伝達機構からＹ軸移動枠１２ｅに付与することで当該Ｙ軸移動枠１２ｅを弾性部材が釣り合う位置からＹ軸方向負側へと移動させる。
【００３４】
Ｚ軸駆動部分１２ｂは、Ｙ軸移動枠１２ｅ（Ｙ軸駆動部分１２ａ）に設けられており、Ｘ軸駆動部分１２ｃを介して、Ｙ軸駆動部分１２ａすなわちベース１１に対して装置本体部１３をＺ軸方向（前後方向）へと移動（変位）させる。換言すると、Ｚ軸駆動部分１２ｂは、駆動部１２において、装置本体部１３をＺ軸方向（前後方向）へと移動させるための箇所となる。このＺ軸駆動部分１２ｂは、Ｚ軸支持台１２ｆとＺ軸移動台１２ｇとを有する。Ｚ軸支持台１２ｆは、Ｙ軸移動枠１２ｅに固定されて設けられており、Ｙ軸移動枠１２ｅと共にＹ軸方向へと移動される。このＺ軸支持台１２ｆは、図示を略すＺ軸ガイド部材を介してＺ軸方向への相対的な移動が可能にＺ軸移動台１２ｇを支持している。Ｚ軸駆動部分１２ｂには、Ｚ軸支持台１２ｆに対してＺ軸移動台１２ｇをＺ軸方向へと移動させる移動力を付与する駆動力伝達機構が設けられている。Ｚ軸駆動部分１２ｂでは、Ｚ軸方向への移動力を駆動力伝達機構からＺ軸移動台１２ｇに付与することで、当該Ｚ軸移動台１２ｇを適宜Ｚ軸方向へと移動させる。
【００３５】
Ｘ軸駆動部分１２ｃは、Ｚ軸移動台１２ｇ（Ｚ軸駆動部分１２ｂ）に設けられており、Ｚ軸駆動部分１２ｂすなわちベース１１に対して装置本体部１３をＸ軸方向（左右方向）へと移動（変位）させる。換言すると、Ｘ軸駆動部分１２ｃは、駆動部１２において、装置本体部１３をＸ軸方向（左右方向）へと移動させるための構成となる。このＸ軸駆動部分１２ｃは、Ｘ軸支持台１２ｈとＸ軸移動台１２ｉとを有する。Ｘ軸支持台１２ｈは、Ｚ軸移動台１２ｇに固定されて設けられており、Ｚ軸移動台１２ｇと共にＺ軸方向へと移動される。このＸ軸支持台１２ｈは、図示を略すＸ軸ガイド部材を介してＸ軸方向への相対的な移動が可能にＸ軸移動台１２ｉを支持している。Ｘ軸駆動部分１２ｃには、Ｘ軸支持台１２ｈに対してＸ軸移動台１２ｉをＸ軸方向へと移動させる移動力を付与する駆動力伝達機構が設けられている。Ｘ軸駆動部分１２ｃでは、Ｘ軸方向への移動力を駆動力伝達機構からＸ軸移動台１２ｉに付与することで、当該Ｘ軸移動台１２ｉを適宜Ｘ軸方向へと移動させる。このＸ軸移動台１２ｉには、装置本体部１３の内方に設けられた眼圧測定部２０と眼特性測定部４０とが取り付けられた取付基板（図示せず）を介して装置本体部１３が固定されている。
【００３６】
このため、駆動部１２は、Ｙ軸駆動部分１２ａとＺ軸駆動部分１２ｂとＸ軸駆動部分１２ｃとを適宜駆動することにより、ベース１１に対して装置本体部１３を上下方向（Ｙ軸方向）、前後方向（Ｚ軸方向）、および左右方向（Ｘ軸方向）に適宜移動させることができる。なお、駆動部１２では、明確な図示は略すがＹ軸駆動部分１２ａとＺ軸駆動部分１２ｂとＸ軸駆動部分１２ｃとがそれぞれ制御部３３（図２参照）に接続されており、各駆動部分が制御部３３の制御下で駆動される。その制御部３３は、眼科装置１０における電気制御系を構成するものであり、内蔵する記憶部に格納されたプログラムにより眼科装置１０の各部を統括的に制御する。
【００３７】
なお、図１では、理解容易とするために省略しているが、眼科装置１０では、全体の外形形状を形作るカバー部材が設けられており、ベース１１から駆動部１２を経て装置本体部１３までが当該カバー部材により覆われている。また、図１では、駆動部１２において、Ｙ軸駆動部分１２ａとＺ軸駆動部分１２ｂとＸ軸駆動部分１２ｃとをＹ軸方向に積層して示しているが、完全にＹ軸方向に分割されて構成されているものではなく、Ｙ軸方向に直交する方向で見ると各部が互いに重なり合うように構成されている。このため、駆動部１２すなわち眼科装置１０では、高さ寸法（Ｙ軸方向で見た大きさ寸法）の増大を防止しつつ、装置本体部１３をベース１１に対して適宜移動することが可能とされている。
【００３８】
その装置本体部１３には、内方に眼圧測定部２０と眼特性測定部４０とが設けられている。その眼特性測定部４０は、第１設定作動距離ｄ１（図５（ｂ）参照）とされた第１測定部を構成し、眼圧測定部２０は、第１設定作動距離よりも短い第２設定作動距離ｄ２（図５（ａ）参照）とされた第２測定部を構成する。その各作動距離は、それぞれの測定部による被検眼Ｅの測定を実行することを可能とする距離であり、各測定部の先端から被検眼Ｅまでの距離（間隔）で示される。眼圧測定部２０は、被検眼Ｅの眼圧を測定する際に用いる。眼特性測定部４０は、被検眼Ｅの光学特性（眼特性）を測定するものであり、本実施例では、被検眼Ｅの角膜Ｅｃの形状と被検眼Ｅの眼屈折力（球面度数、乱視度数、乱視軸角度等）とを測定する際に用いる。
【００３９】
本実施例の眼科装置１０では、装置本体部１３において、眼圧測定部２０において主光軸となる後述する光軸Ｏ１を、眼特性測定部４０における後述する主光軸Ｏ１０よりも上方（Ｙ軸方向正側）に設けている（図５参照）。このため、この眼科装置１０では、装置本体部１３において、基本的に、眼特性測定部４０の上方に眼圧測定部２０が設けられている。ここで、眼圧測定部２０と眼特性測定部４０との位置関係において基本的にと言ったのは、眼圧測定部２０と眼特性測定部４０とを個別に分離して構成するものではなく、眼圧測定部２０と眼特性測定部４０とにおいて一方の光学系の一部を他方の光学系に交差させることで、眼圧測定部２０と眼特性測定部４０との一部を入り組ませて一体的な構成としていることによる。
【００４０】
次に、図２および図３を用いて、眼圧測定部２０の光学的な構成を説明する。その眼圧測定部２０は、非接触式の眼圧計である。眼圧測定部２０は、図２および図３に示すように、前眼部観察光学系２１とＸＹアライメント指標投影光学系２２と固視標投影光学系２３と圧平検出光学系２４とＺアライメント指標投影光学系２５とＺアライメント検出光学系２６とを備える。
【００４１】
その前眼部観察光学系２１は、被検眼Ｅの前眼部の観察およびＸＹアライメント（Ｘ−Ｙ平面に沿う方向におけるアライメント）をするために設けられている。この前眼部観察光学系２１は、前眼部照明光源２１ａ（図２参照）が設けられるとともに、光軸Ｏ１上に、気流吹付ノズル２１ｂと前眼部窓ガラス２１ｃ（図３参照）とチャンバー窓ガラス２１ｄとハーフミラー２１ｅとハーフミラー２１ｇと対物レンズ２１ｆとＣＣＤカメラ２１ｉとが設けられて構成されている。前眼部照明光源２１ａは、前眼部窓ガラス２１ｃの周囲に位置されており（図２参照）、その前眼部を直接照明すべく複数個（図２には２つのみ示す）設けられている。気流吹付ノズル２１ｂは、被検眼Ｅ（その前眼部）に気流を吹き付けるためのノズルであり、後述する気流吹付機構３４の空気圧縮室３４ａ（図３参照）に設けられている。ＣＣＤカメラ２１ｉは、受光面に形成された画像（前眼部像等）に基づく画像信号を生成するものであり、生成した画像信号を制御部３３（図２参照）へと出力する。このＣＣＤカメラ２１ｉより取得された画像は、制御部３３の制御下で、表示部１４（図１参照）に適宜表示されるとともに、図示を略す外部機器へと適宜出力される。
【００４２】
このＣＣＤカメラ２１ｉは、図３に示すように、合焦駆動機構２１Ｄにより光軸Ｏ１に沿って移動可能とされている。合焦駆動機構２１Ｄは、制御部３３（図２参照）の制御下で、被検眼Ｅの前眼部（角膜Ｅｃ）にピントを合わせるべくＣＣＤカメラ２１ｉを適宜移動させる。その合焦駆動機構２１Ｄでは、その駆動源を後述する固視標投影光学系４１の固視標移動機構４１Ｄ（図４参照）と共用するものとしている。すなわち、当該駆動源は、後述する眼圧測定モード（図５（ａ）参照）において合焦駆動機構２１Ｄを駆動させ、かつ後述する眼特性測定モード（図５（ｂ）参照）において固視標移動機構４１Ｄを駆動させる。制御部３３は、合焦駆動機構２１Ｄを介して、眼圧測定部２０すなわち装置本体部１３の位置に応じて、ＣＣＤカメラ２１ｉの光軸Ｏ１上での位置を変化させることにより、被検眼Ｅの前眼部（角膜Ｅｃ）にピントを合わせる。
【００４３】
この制御部３３は、本実施例では、光軸Ｏ１上における第１焦点位置ｆ１と第２焦点位置ｆ２との２つの位置で、合焦駆動機構２１Ｄを介してＣＣＤカメラ２１ｉを変位させることが可能とされている。この合焦駆動機構２１Ｄを介したＣＣＤカメラ２１ｉの光軸Ｏ１上での移動は、第１焦点位置ｆ１と第２焦点位置ｆ２とで２段階に切り替えるものであってもよく、第１焦点位置ｆ１と第２焦点位置ｆ２との間を連続的に移動させるものであってもよい。
【００４４】
その第１焦点位置ｆ１は、眼圧測定部２０（装置本体部１３）を、被検眼Ｅの眼圧の測定を実行することを可能とする位置すなわち被検眼Ｅの前眼部（角膜Ｅｃ）から第２設定作動距離ｄ２（図５（ａ）参照）とした際に、被検眼Ｅの前眼部（角膜Ｅｃ）にピントが合う位置とされている。その被検眼Ｅの眼圧の測定を実行することを可能とする位置は、本実施例では、気流吹付ノズル２１ｂの先端から被検眼Ｅまでの距離（間隔）すなわち第２設定作動距離ｄ２を１１ｍｍとする位置に設定されている（図５（ａ）参照）。
【００４５】
第２焦点位置ｆ２は、眼圧測定部２０（装置本体部１３）を、被検眼Ｅ（被検者）から十分に離した位置とした際に、被検眼Ｅの前眼部（角膜Ｅｃ）にピントが合う位置とされている。これは、後述するように、眼特性測定モード（眼特性測定部４０による測定モード）から、眼圧測定モード（眼圧測定部２０による測定モード）へと切り替える際、眼圧測定部２０（装置本体部１３）を、先ずＹ軸方向へと移動して被検眼Ｅに対応する高さ位置としてから、Ｚ軸方向へと移動させて被検眼Ｅに近付けていくことによる。このような移動は、被検眼Ｅに極めて近付けられる気流吹付ノズル２１ｂ（その先端）が、誤って被検眼Ｅと接触することを防止するために行われる。または、眼圧測定モードにおいて、測定対象とする被検眼Ｅを被検者の左右眼で切り換える際、眼圧測定部２０（装置本体部１３）を、一方の眼圧を測定した位置から先ず後退（Ｚ軸方向負側）し、左右方向（Ｘ軸方向）へと移動して、他方の被検眼Ｅに近付く方向へと移動させながらアライメントを行うことにもよる。このような動作は、眼圧測定部２０の気流吹付ノズル２１ｂの先端が、誤って被検者（その鼻等）に接触することを防止するために行われる。
【００４６】
そして、制御部３３は、本実施例では、ベース１１に対する装置本体部１３（眼圧測定部２０）の位置、すなわち駆動部１２（そのＺ軸駆動部分１２ｂ）によるＺ軸方向（前後方向）での制御位置に応じて、ＣＣＤカメラ２１ｉの位置を第１焦点位置ｆ１と第２焦点位置ｆ２とで切り替える。これは、眼圧測定部２０と被検眼Ｅとの間隔が、ベース１１に対する装置本体部１３（眼圧測定部２０）の位置によりおおまかに決定することによる。なお、合焦駆動機構２１Ｄでは、駆動源を後述する固視標投影光学系４１の固視標移動機構４１Ｄ（図４参照）と共用するものとしていたが、後述する眼屈折力測定用リング状指標投影光学系４３（受光光学系４４）の指標移動機構４３Ｄ（図４参照）と駆動源を共用するものとしてもよく、本実施例に限定されるものではない。
【００４７】
この前眼部観察光学系２１では、前眼部照明光源２１ａ（図２参照）で被検眼Ｅ（その前眼部）を照明しつつ、その被検眼Ｅの前眼部像をＣＣＤカメラ２１ｉで取得する。その前眼部像（その光束）は、気流吹付ノズル２１ｂの外を通り、前眼部窓ガラス２１ｃ（後述するガラス板３４ｂも含む）、チャンバー窓ガラス２１ｄ、ハーフミラー２１ｇおよびハーフミラー２１ｅを透過し、対物レンズ２１ｆにより集束されて、ＣＣＤカメラ２１ｉ（その受光面）上に形成される。このＣＣＤカメラ２１ｉ（前眼部観察光学系２１）は、形成された前眼部像の受光に基づく信号を制御部３３（図２参照）へと出力する。その制御部３３は、ＣＣＤカメラ２１ｉ（前眼部観察光学系２１）で取得した前眼部像を表示部１４（図１参照）に適宜表示させる。このため、前眼部観察光学系２１は、眼圧測定部２０すなわち第２測定部における第２観察光学系として機能する。この前眼部観察光学系２１（第２観察光学系）は、眼特性測定部４０（第１測定部）における後述する第１観察光学系としての観察光学系４２よりも高い倍率に設定されていてもよい。これは、眼圧測定部２０（第２測定部）では、被検眼Ｅの眼圧の測定結果がアライメントの精度の低下の影響を受けやすいことから、眼特性測定部４０（第１測定部）と比較してアライメントの精度を高めることが求められることによる。
【００４８】
また、前眼部観察光学系２１では、後述するようにＸＹアライメント指標投影光学系２２により被検眼Ｅに投影されたＸＹアライメント指標光の角膜Ｅｃによる反射光を、ＣＣＤカメラ２１ｉ（その受光面）へと進行させる。詳細には、前眼部観察光学系２１では、当該反射光束を、気流吹付ノズル２１ｂの内部を通り、チャンバー窓ガラス２１ｄ、ハーフミラー２１ｇおよびハーフミラー２１ｅを透過させて対物レンズ２１ｆへと至らせる。そして、前眼部観察光学系２１では、当該反射光束を対物レンズ２１ｆで集束して、ＣＣＤカメラ２１ｉへと進行させる。すると、そのＣＣＤカメラ２１ｉ（その受光面）上には、装置本体部１３（眼圧測定部２０）と角膜ＥｃとのＸＹ方向の位置関係に応じた位置に輝点像が形成される。このＣＣＤカメラ２１ｉ（前眼部観察光学系２１）は、形成された輝点像の受光に基づく信号を制御部３３（図２参照）へと出力することができる。そのＸＹアライメント指標光の輝点像は、被検眼Ｅの角膜Ｅｃ上に形成されるものである。このため、制御部３３は、輝点像が形成された前眼部（角膜Ｅｃ）の画像（そのデータ）を取得することができ、表示部１４に輝点像が形成された前眼部（角膜Ｅｃ）の画像を適宜表示させることができる。なお、その表示部１４には、図示を略す画像生成手段によって生成されたアライメント補助マークも重ねて表示される。
【００４９】
ＸＹアライメント指標投影光学系２２は、指標光を被検眼Ｅの角膜Ｅｃに正面から投影する。その指標光は、Ｘ−Ｙ平面に沿う方向（以下では、ＸＹ方向ともいう）で見た被検眼Ｅ（その前眼部（角膜Ｅｃ））の眼圧測定部２０に対する位置の調節、いわゆるＸＹ方向のアライメントを可能とする機能を有する。また、当該指標光は、被検眼Ｅの角膜Ｅｃの変形量（変形の度合（圧平））の検出を可能とする機能も有する。このＸＹアライメント指標投影光学系２２は、ＸＹアライメント用光源２２ａと集光レンズ２２ｂと開口絞り２２ｃとピンホール板２２ｄとダイクロイックミラー２２ｅと投影レンズ２２ｆとを有し、前眼部観察光学系２１とハーフミラー２１ｅを共用している。ＸＹアライメント用光源２２ａは、赤外光を出射する光源とされている。投影レンズ２２ｆは、ピンホール板２２ｄに焦点を一致させるように、ＸＹアライメント指標投影光学系２２の光路上に配置されている。このＸＹアライメント指標投影光学系２２では、ＸＹアライメント用光源２２ａから出射された赤外光が、集光レンズ２２ｂにより集束されつつ開口絞り２２ｃを通過して、ピンホール板２２ｄ（その穴部）へと進行する。ＸＹアライメント指標投影光学系２２では、ピンホール板２２ｄ（その穴部）を通過した光束を、ダイクロイックミラー２２ｅで反射して投影レンズ２２ｆへと進行させ、その進行した赤外光を投影レンズ２２ｆで平行光束として、ハーフミラー２１ｅへと進行させる。そして、ＸＹアライメント指標投影光学系２２では、ハーフミラー２１ｅで反射することで平行光束を前眼部観察光学系２１の光軸Ｏ１上に進行させる。その平行光束は、ハーフミラー２１ｇおよびチャンバー窓ガラス２１ｄを透過して、気流吹付ノズル２１ｂの内部へと進行し、当該気流吹付ノズル２１ｂの内部を通過することでＸＹアライメント指標光として被検眼Ｅに至る。そのＸＹアライメント指標光は、図示は略すが、角膜Ｅｃの角膜頂点Ｅａと当該角膜Ｅｃの曲率中心との中間位置に輝点像を形成するようにして角膜Ｅｃの表面で反射される。なお、開口絞り２２ｃは、投影レンズ２２ｆに関して角膜Ｅｃの角膜頂点Ｅａと共役な位置に設けられている。
【００５０】
固視標投影光学系２３は、被検眼Ｅに固視標を投影（提示）する。その固視標投影光学系２３は、固視標用光源２３ａとピンホール板２３ｂとを有し、ＸＹアライメント指標投影光学系２２とダイクロイックミラー２２ｅおよび投影レンズ２２ｆを共用するとともに前眼部観察光学系２１とハーフミラー２１ｅを共用している。その固視標用光源２３ａは、可視光を出射する光源とされている。この固視標投影光学系２３では、固視標用光源２３ａから出射した固視標光をピンホール板２３ｂ（その穴部）へと進行させ、そのピンホール板２３ｂ（その穴部）を通過しダイクロイックミラー２２ｅを透過させて、投影レンズ２２ｆへと進行させる。その固視標光（その光束）は、投影レンズ２２ｆにより略平行光とされてハーフミラー２１ｅへと進行し、そのハーフミラー２１ｅで反射されることで前眼部観察光学系２１の光軸Ｏ１上を進行する。その光束は、ハーフミラー２１ｇおよびチャンバー窓ガラス２１ｄを透過して、気流吹付ノズル２１ｂの内部へと進行し、当該気流吹付ノズル２１ｂの内部を通過して被検眼Ｅに至る。固視標投影光学系２３は、この被検眼Ｅに投影した固視標を、被検者に固視目標として注視させることにより、当該被検者の視線を固定する。
【００５１】
圧平検出光学系２４は、図３に示すように、ＸＹアライメント指標投影光学系２２により被検眼Ｅに投影されたＸＹアライメント指標光の角膜Ｅｃによる反射光を受光して、その角膜Ｅｃの表面の変形量（圧平）を検出する。この圧平検出光学系２４は、レンズ２４ａ、ピンホール板２４ｂおよびセンサ２４ｃと、前眼部観察光学系２１の光路上に設けられたハーフミラー２１ｇと、を有する。レンズ２４ａは、角膜Ｅｃの表面のみが平らとされた際に、ＸＹアライメント指標光の角膜Ｅｃによる反射光を、ピンホール板２４ｂの中央の穴に集光させる。そのピンホール板２４ｂは、レンズ２４ａによる上述した集光位置に、中央の穴を位置させて設けられている。センサ２４ｃは、光量検出の可能な受光センサであって、受光した光量に応じた信号を出力するものであり、本実施例ではフォトダイオードを用いる。このセンサ２４ｃ（圧平検出光学系２４）は、受光した光量に応じた信号を制御部３３に出力する。
【００５２】
上述したように、被検眼Ｅの角膜Ｅｃの表面（角膜表面）で反射されたＸＹアライメント指標光の反射光束は、気流吹付ノズル２１ｂの内部を通り、チャンバー窓ガラス２１ｄを透過してハーフミラー２１ｇに至る。圧平検出光学系２４では、その一部をハーフミラー２１ｇで反射してレンズ２４ａへと進行させ、そのレンズ２４ａで集束して、ピンホール板２４ｂへと進行させる。ここで、被検眼Ｅでは、後述する気流吹付機構３４（図１等参照）により気流吹付ノズル２１ｂから角膜Ｅｃに向けて気流を吹き付けられることで、角膜Ｅｃの表面が変形して徐々に平らな状態とされていく。そのとき、圧平検出光学系２４では、上述した設定により、角膜Ｅｃの表面が平らとされると進行してきた反射光束の全体がピンホール板２４ｂの穴を通してセンサ２４ｃに到達し、その他の状態ではピンホール板２４ｂで部分的に遮られつつセンサ２４ｃに到達する。このため、圧平検出光学系２４では、センサ２４ｃで受光した光量が最大となった時点を検出することにより、角膜Ｅｃの表面が平らとされたこと（圧平）を検知することができる。これにより、圧平検出光学系２４では、流体の吹き付けにより変形した角膜Ｅｃの表面の形状（圧平）を検出することができ、センサ２４ｃがその検出のために角膜Ｅｃからの反射光（反射光束）を受光する受光部として機能する。
【００５３】
Ｚアライメント指標投影光学系２５は、図２に示すように、被検眼Ｅの角膜Ｅｃに、斜めからＺ軸方向のアライメント指標光（アライメント用指標平行光束）を投影する。このＺアライメント指標投影光学系２５は、光軸Ｏ２上に、Ｚアライメント用光源２５ａと集光レンズ２５ｂと開口絞り２５ｃとピンホール板２５ｄと投影レンズ２５ｅとが設けられて構成されている。そのＺアライメント用光源２５ａは、赤外光（例えば波長８６０ｎｍ）を出射する光源とされている。開口絞り２５ｃは、投影レンズ２５ｅに関して角膜Ｅｃの角膜頂点Ｅａと共役な位置に設けられている。その投影レンズ２５ｅは、ピンホール板２５ｄ（その穴部）に焦点を一致させて配置されている。Ｚアライメント指標投影光学系２５では、Ｚアライメント用光源２５ａから出射された赤外光（その光束）が、集光レンズ２５ｂにより集光されつつ開口絞り２５ｃを通過してピンホール板２５ｄへと進行する。このＺアライメント指標投影光学系２５では、ピンホール板２５ｄ（その穴部）を通過した光束を投影レンズ２５ｅへと進行させ、投影レンズ２５ｅで平行光として角膜Ｅｃへと進行させる。その赤外光（その光束（Ｚアライメント指標光））は、被検眼Ｅの内方に位置する輝点像を形成するようにして、角膜Ｅｃの表面で反射される。
【００５４】
Ｚアライメント検出光学系２６は、Ｚアライメント指標光の角膜Ｅｃによる反射光を、前眼部観察光学系２１の光軸Ｏ１に対して対称な方向から受光して、装置本体部１３（眼圧測定部２０）と角膜ＥｃとのＺ軸方向での位置関係を検出する。そのＺアライメント検出光学系２６は、光軸Ｏ３上に、結像レンズ２６ａとシリンドリカルレンズ２６ｂとセンサ２６ｃとが設けられて構成されている。シリンドリカルレンズ２６ｂは、Ｙ軸方向にパワーを持つものとされている。センサ２６ｃは、受光面における受光位置を検出可能な受光センサであり、ラインセンサやＰＳＤを用いて構成することができ、本実施例ではラインセンサを用いる。このセンサ２６ｃは、Ｚアライメント検出補正部３２に接続されている。
【００５５】
このＺアライメント検出光学系２６では、Ｚアライメント指標投影光学系２５によりアライメント指標光が投影されて角膜Ｅｃの表面で反射された反射光束が、結像レンズ２６ａへと進行される。Ｚアライメント検出光学系２６では、反射光束を結像レンズ２６ａで集束し、シリンドリカルレンズ２６ｂへと進行させ、そのシリンドリカルレンズ２６ｂでＹ軸方向に集光してセンサ２６ｃ上に輝点像を形成する。このセンサ２６ｃは、Ｘ−Ｚ平面内において、Ｚアライメント指標投影光学系２５により被検眼Ｅの内方に形成された上述した輝点像と結像レンズ２６ａに関して共役な位置関係にあり、Ｙ−Ｚ平面内において、角膜頂点Ｅａと結像レンズ２６ａおよびシリンドリカルレンズ２６ｂに関して共役な位置関係にある。すなわち、センサ２６ｃは、開口絞り２５ｃと共役関係にあり（このときの倍率は開口絞り２５ｃの像がセンサ２６ｃの大きさより小さくなるように設定している）、Ｙ軸方向に角膜Ｅｃがずれたとしても当該角膜Ｅｃの表面における反射光束は効率良くセンサ２６ｃに入射する。このセンサ２６ｃ（Ｚアライメント検出光学系２６）は、形成された輝点像の受光に基づく信号を、Ｚアライメント検出補正部３２へと出力する。
【００５６】
気流吹付機構３４は、図３に示すように、空気圧縮室３４ａを有し、そこに空気圧縮駆動部３４ｄ（図１参照）が設けられて構成されている。その空気圧縮駆動部３４ｄは、空気圧縮室３４ａの内方で移動可能なピストンと、そのピストンを移動させる駆動部と、を有し、本実施例では、装置本体部１３において、眼圧測定部２０（その光学系）の上方に設けられている。空気圧縮駆動部３４ｄは、制御部３３（図２参照）の制御下で駆動されることで、空気圧縮室３４ａ内の空気を圧縮する。その空気圧縮室３４ａには、透明なガラス板３４ｂを介して気流吹付ノズル２１ｂが取り付けられているとともに、そこと対向してチャンバー窓ガラス２１ｄが設けられている。このため、空気圧縮室３４ａは、前眼部観察光学系２１における上述した機能を妨げることが防止されている。また、空気圧縮室３４ａには、当該空気圧縮室３４ａの圧力を検出する圧力センサ３４ｃが設けられている。この圧力センサ３４ｃは、図示は略すが制御部３３（図２参照）に接続されており、検出した圧力に応じた信号を制御部３３に出力する。この気流吹付機構３４では、制御部３３の制御下で、空気圧縮駆動部３４ｄが空気圧縮室３４ａ内の空気を圧縮することにより、気流吹付ノズル２１ｂから被検眼Ｅの角膜Ｅｃに向けて気流を吹き付けることができる。また、気流吹付機構３４では、圧力センサ３４ｃで空気圧縮室３４ａ内の圧力を検出することにより、気流吹付ノズル２１ｂから気流を吹き付けた際の圧力を取得することが可能とされている。なお、気流吹付機構３４では、圧力センサ３４ｃを設けることに替えて、吹き付ける気流において、時間に対する圧力の変化が予め定められた特性とするものとしてもよい。
【００５７】
この眼圧測定部２０は、前眼部照明光源２１ａとＸＹアライメント用光源２２ａと固視標用光源２３ａとＺアライメント用光源２５ａとの点灯制御を行うためのドライバ（駆動機構）を有し、当該ドライバに制御部３３（図２参照）が接続されている。このため、眼圧測定部２０では、制御部３３の制御下で、前眼部照明光源２１ａとＸＹアライメント用光源２２ａと固視標用光源２３ａとＺアライメント用光源２５ａとを適宜点灯させる。また、眼圧測定部２０では、上述したように、制御部３３の制御下で、合焦駆動機構２１Ｄを介してＣＣＤカメラ２１ｉを光軸Ｏ１上で適宜移動させ、かつＣＣＤカメラ２１ｉから出力された画像信号に基づく画像の生成処理を行い、かつその生成した画像を表示部１４に適宜表示させる。
【００５８】
次に、上述した眼圧測定部２０を用いて被検眼Ｅの眼圧を測定する際の概略的な動作について説明する。なお、眼圧測定部２０における下記の動作は、制御部３３（図２参照）の制御下で実行される。先ず、眼科装置１０の電源スイッチを投入し、表示部１４に眼圧測定部２０を用いて測定を行う旨の操作を行う。すると、眼圧測定部２０では、後述するように眼圧測定モード（図５（ａ）参照）とした後、前眼部照明光源２１ａとＸＹアライメント用光源２２ａと固視標用光源２３ａとＺアライメント用光源２５ａとを適宜点灯させる。このとき、眼圧測定部２０では、各光源２１ａ、２３ａ、２５ａをそれぞれ異なる周期で点滅を繰り返させるものとし、いずれの光源からの光であるかの識別を可能としてもよい。
【００５９】
眼圧測定部２０では、図３に示すように、固視標投影光学系２３の固視標用光源２３ａを点灯することで、固視標を被検眼Ｅに投影して、その被検眼Ｅを固視させるすなわち被検者の視線を固定する。また、眼圧測定部２０では、ＸＹアライメント指標投影光学系２２のＸＹアライメント用光源２２ａを点灯することで、平行光束を角膜Ｅｃに投影する。眼圧測定部２０では、その角膜Ｅｃで反射された反射光束を、前眼部観察光学系２１のＣＣＤカメラ２１ｉと、圧平検出光学系２４のセンサ２４ｃと、により受光する。さらに、眼圧測定部２０では、図２に示すように、Ｚアライメント指標投影光学系２５のＺアライメント用光源２５ａを点灯することで、Ｚ軸方向のアライメント用の平行光束を角膜Ｅｃに投影する。眼圧測定部２０では、その角膜Ｅｃで反射された反射光束を、Ｚアライメント検出光学系２６のセンサ２６ｃで受光する。
【００６０】
眼圧測定部２０では、前眼部観察光学系２１の前眼部照明光源２１ａを点灯することで、被検眼Ｅの前眼部を照明し、その被検眼Ｅの前眼部像をＣＣＤカメラ２１ｉ上に結像させる。そして、眼圧測定部２０では、明確な図示は略すが、表示部１４に、ＸＹアライメント指標光の輝点像が形成された被検眼Ｅの前眼部像と、アライメント補助マークと、を表示させる。検者は、この表示部１４を見ながら当該表示部１４に表示された操作部を操作することにより、装置本体部１３を上下左右に移動させて輝点像が表示部１４の画面内に映るようにアライメントを行う。また、眼圧測定部２０では、Ｚアライメント検出補正部３２が、Ｚアライメント検出光学系２６のセンサ２６ｃの受光信号とＸＹアライメント検出部３１の演算結果とに基づいて、装置本体部１３と角膜ＥｃのＺ軸方向の位置関係を演算する。眼圧測定部２０では、制御部３３の制御下で、前眼部観察光学系２１から得られるＸＹ方向での位置およびＺアライメント検出補正部３２から出力される演算結果に基づいて、駆動部１２すなわちＹ軸駆動部分１２ａとＺ軸駆動部分１２ｂとＸ軸駆動部分１２ｃとを適宜駆動することにより、ベース１１に対して装置本体部１３を上下方向（Ｙ軸方向）、前後方向（Ｚ軸方向）、および左右方向（Ｘ軸方向）に適宜移動させてオートアライメント（自動でのアライメントの調整）を行う。
【００６１】
眼圧測定部２０では、オートアライメントが完了すると、制御部３３が気流吹付機構３４を作動させて、気流吹付ノズル２１ｂから被検眼Ｅの角膜Ｅｃに向けて気流を吹き付ける。すると、被検眼Ｅでは、角膜Ｅｃの表面が変形して徐々に平らな状態（圧平）とされていく。角膜Ｅｃが徐々に平らな状態（圧平）とされていく過程において、角膜Ｅｃの表面が平らと（圧平）されると圧平検出光学系２４のセンサ２４ｃでの受光量が最大となる。このため、眼圧測定部２０では、センサ２４ｃの受光量の変化に基づいて、角膜Ｅｃの表面が平らと（圧平）されたことを制御部３３が判断する。すなわち、圧平検出光学系２４（センサ２４ｃ）では、角膜Ｅｃの圧平を検出することができる。そして、眼圧測定部２０では、制御部３３が、圧力センサ３４ｃからの出力（吹き付けた気流の圧力）に基づいて、被検眼Ｅの眼圧を求め（眼圧値を算出し）、その算出結果を表示部１４に表示させる。なお、制御部３３では、気流吹付ノズル２１ｂ（気流吹付機構３４）による気流の吹き付けを開始時点から角膜Ｅｃの表面が平らと（圧平）されたことを検知した時点までの時間に基づいて、被検眼Ｅの眼圧を求める（眼圧値を算出する）ものであってもよい。
【００６２】
次に、図４を用いて、眼特性測定部４０の光学的な構成を説明する。その眼特性測定部４０は、被検眼Ｅの角膜Ｅｃの形状と被検眼Ｅの眼屈折力（球面度数、乱視度数、乱視軸角度等）とを測定するものである。眼特性測定部４０は、図４に示すように、固視標投影光学系４１と観察光学系４２と眼屈折力測定用リング状指標投影光学系４３と受光光学系４４とアライメント光投影系４５とを備える。その固視標投影光学系４１は、被検眼Ｅを固視・雲霧させるために、その被検眼Ｅの眼底Ｅｆ（図２、図３参照）に視標を投影する。観察光学系４２は、被検眼Ｅの前眼部（角膜Ｅｃ）を観察する。眼屈折力測定用リング状指標投影光学系４３は、被検眼Ｅの眼屈折力を測定するために、眼屈折力測定用リング状指標としてのパターン光束を、その被検眼Ｅの眼底Ｅｆに投影する。受光光学系４４は、被検眼Ｅの眼底Ｅｆから反射された眼屈折力測定用リング状指標像を後述する撮像素子４４ｄに受光させる。この眼屈折力測定用リング状指標投影光学系４３および受光光学系４４は、観察光学系４２および後述する角膜形状測定用リング状指標投影光源４６Ａ、４６Ｂ、４６Ｃと共に、角膜形状・眼屈折力測定光学系を構成する。アライメント光投影系４５は、Ｘ−Ｙ方向でのアライメント状態を検出するために、指標光を被検眼Ｅに向けて投影する。また、眼特性測定部４０の光学系には、図示は略すが、被検眼Ｅと装置本体部１３との間の作動距離を検出するための作動距離検出光学系が設けられている。
【００６３】
固視標投影光学系４１は、光軸Ｏ１１上に、固視標光源４１ａとコリメータレンズ４１ｂと指標板４１ｃとリレーレンズ４１ｄとミラー４１ｅとダイクロイックミラー４１ｆとダイクロイックミラー４１ｇと対物レンズ４１ｈとを有する。指標板４１ｃには、被検眼Ｅを固視・雲霧させるためのターゲットが設けられている。その固視標光源４１ａ、コリメータレンズ４１ｂおよび指標板４１ｃは、固視標ユニット４１Ｕを構成し、被検眼Ｅを固視・雲霧させるべく、固視標移動機構４１Ｄにより固視標投影光学系４１の光軸Ｏ１１に沿って一体に移動可能とされている。なお、ダイクロイックミラー４１ｇと対物レンズ４１ｈとは、それらが設けられた位置が、後述する眼特性測定部４０における主光軸Ｏ１０上とされている。
【００６４】
この固視標投影光学系４１では、固視標光源４１ａから可視光を出射し、その可視光をコリメータレンズ４１ｂにより平行光束とした後、指標板４１ｃを透過させてターゲット光束とする。そして、固視標投影光学系４１では、ターゲット光束を、リレーレンズ４１ｄを通した後にミラー４１ｅにより反射し、ダイクロイックミラー４１ｆを通過させてダイクロイックミラー４１ｇへと進行させる。固視標投影光学系４１では、そのターゲット光束をダイクロイックミラー４１ｇで眼特性測定部４０における主光軸Ｏ１０上へと反射して、対物レンズ４１ｈを経て被検眼Ｅへと進行させる。固視標投影光学系４１は、被検眼Ｅに投影したターゲット光束（固視標）を、被検者に固視目標として注視させることにより、当該被検者の視線を固定する。また、固視標投影光学系４１は、被検者に固視目標として注視させた状態から、ピントが合わない位置まで固視標ユニット４１Ｕを移動させることにより、被検眼Ｅを雲霧状態とする。
【００６５】
観察光学系４２は、図示を略す照明光源を有するとともに、主光軸Ｏ１０上に、ハーフミラー４２ａとリレーレンズ４２ｂと結像レンズ４２ｃと撮像素子４２ｄとを有し、固視標投影光学系４１と対物レンズ４１ｈおよびダイクロイックミラー４１ｇを共用する。撮像素子４２ｄは、二次元固体撮像素子であり、本実施例ではＣＭＯＳイメージセンサを用いている。
【００６６】
この観察光学系４２では、照明光源から出射した照明光束で被検眼Ｅの前眼部（角膜Ｅｃ）を照明して、その前眼部で反射された照明光束を対物レンズ４１ｈで取得する。観察光学系４２では、反射された照明光束を、対物レンズ４１ｈを経て、ダイクロイックミラー４１ｇおよびハーフミラー４２ａを通して、リレーレンズ４２ｂを経て結像レンズ４２ｃにより撮像素子４２ｄ（その受光面）上に結像させる。その撮像素子４２ｄは、取得した画像に基づく画像信号を制御部３３（図２参照）に出力する。その制御部３３は、入力された画像信号に基づいて、前眼部（角膜Ｅｃ）の画像を表示部１４に表示させる。このため、観察光学系４２では、撮像素子４２ｄ（その受光面）上に前眼部（角膜Ｅｃ）の像を形成することができ、表示部１４に当該前眼部の画像を表示させることができる。なお、アライメント完了後の屈折力測定時には、観察光学系４２の照明光源は消灯される。このため、観察光学系４２は、眼特性測定部４０すなわち第１測定部における第１観察光学系として機能する。この観察光学系４２（第１観察光学系）は、眼圧測定部２０（第２測定部）における第２観察光学系としての前眼部観察光学系２１よりも低い倍率に設定されていてもよい。これは、眼特性測定部４０（第１測定部）では、眼圧測定部２０（第２測定部）のようにはアライメントの精度を高めることが求められないことによる。
【００６７】
眼屈折力測定用リング状指標投影光学系４３は、眼屈折力測定用光源４３ａとレンズ４３ｂと円錐プリズム４３ｃとリング指標板４３ｄとレンズ４３ｅとバンドパスフィルタ４３ｆと瞳リング４３ｇと穴空きプリズム４３ｈとロータリープリズム４３ｉとを有し、固視標投影光学系４１とダイクロイックミラー４１ｆ、ダイクロイックミラー４１ｇおよび対物レンズ４１ｈを共用する。その眼屈折力測定用光源４３ａと瞳リング４３ｇとは光学的に共役な位置に配置し、リング指標板４３ｄと被検眼Ｅの眼底Ｅｆとは光学的に共役な位置に配置している。また、眼屈折力測定用光源４３ａ、レンズ４３ｂ、円錐プリズム４３ｃおよびリング指標板４３ｄは、指標ユニット４３Ｕを構成し、この指標ユニット４３Ｕは、指標移動機構４３Ｄにより眼屈折力測定用リング状指標投影光学系４３の光軸Ｏ１３に沿って一体に移動可能とされている。
【００６８】
眼屈折力測定用リング状指標投影光学系４３では、眼屈折力測定用光源４３ａから出射した光束をレンズ４３ｂで平行光束とし、円錐プリズム４３ｃを経てリング指標板４３ｄへと進行させる。その光束は、リング指標板４３ｄに形成されたリング状のパターン部分を透過して眼屈折力測定用リング状指標としてのパターン光束とされる。この眼屈折力測定用リング状指標投影光学系４３では、そのパターン光束をレンズ４３ｅ、バンドパスフィルタ４３ｆおよび瞳リング４３ｇを経て穴空きプリズム４３ｈへと進行させ、その穴空きプリズム４３ｈの反射面により反射して、ロータリープリズム４３ｉを経てダイクロイックミラー４１ｆへと進行させる。そして、眼屈折力測定用リング状指標投影光学系４３では、パターン光束をダイクロイックミラー４１ｆで反射した後にダイクロイックミラー４１ｇで反射することで、眼特性測定部４０における主光軸Ｏ１０上に進行させる。そして、眼屈折力測定用リング状指標投影光学系４３では、パターン光束を、対物レンズ４１ｈにより被検眼Ｅの眼底Ｅｆ（図２、図３参照）に結像させる。
【００６９】
この眼屈折力測定用リング状指標投影光学系４３には、対物レンズ４１ｈの前方側に角膜形状測定用リング状指標投影光源４６Ａ、４６Ｂ、４６Ｃが設けられている。この角膜形状測定用リング状指標投影光源４６Ａ、４６Ｂ、４６Ｃは、リングパターン４７上において被検眼Ｅ（角膜Ｅｃ）から所定の距離とされて主光軸Ｏ１０に関して同心状に設けられており、被検眼Ｅ（角膜Ｅｃ）に角膜形状測定用リング状指標光を投影する。その角膜形状測定用リング状指標光は、被検眼Ｅの角膜Ｅｃに投影されることで、その角膜Ｅｃに角膜形状測定用リング状指標を形成する。その角膜形状測定用リング状指標（その光束）は、被検眼Ｅの角膜Ｅｃで反射されることで、上記した観察光学系４２により撮像素子４２ｄ上に結像される。このため、観察光学系４２では、表示部１４において、前眼部（角膜Ｅｃ）の画像に重ねて角膜形状測定用リング状指標の像（画像）を表示させることができる。
【００７０】
受光光学系４４は、穴空きプリズム４３ｈの穴部４４ａとミラー４４ｂとレンズ４４ｃと撮像素子４４ｄとを有し、固視標投影光学系４１と対物レンズ４１ｈ、ダイクロイックミラー４１ｇおよびダイクロイックミラー４１ｆを共用し、かつ眼屈折力測定用リング状指標投影光学系４３とロータリープリズム４３ｉを共用する。撮像素子４４ｄは、二次元固体撮像素子であり、本実施例ではＣＣＤ（電荷結合素子）イメージセンサを用いている。この撮像素子４４ｄは、眼屈折力測定用リング状指標投影光学系４３の指標移動機構４３Ｄにより、当該眼屈折力測定用リング状指標投影光学系４３の指標ユニット４３Ｕと連動して、受光光学系４４の光軸Ｏ１４に沿って移動可能とされている。
【００７１】
受光光学系４４では、眼屈折力測定用リング状指標投影光学系４３によって眼底Ｅｆ（図２、図３参照）に導かれ、かつ当該眼底Ｅｆで反射されたパターン反射光束を、対物レンズ４１ｈにより集光し、ダイクロイックミラー４１ｇで反射した後にダイクロイックミラー４１ｆで反射して、ロータリープリズム４３ｉへと進行させる。そして、受光光学系４４では、反射されたパターン反射光束を、ロータリープリズム４３ｉを経て穴空きプリズム４３ｈの穴部４４ａへと進行させて、この穴部４４ａを通過させる。受光光学系４４では、穴部４４ａを通過したパターン反射光束を、ミラー４４ｂによって反射し、レンズ４４ｃにより撮像素子４４ｄ（その受光面）上にパターン反射光束すなわち眼屈折力測定用リング状指標を結像させる。その撮像素子４４ｄは、取得した画像に基づく画像信号を制御部３３（図２参照）に出力する。その制御部３３は、入力された画像信号に基づいて、眼屈折力測定用リング状指標の画像を表示部１４（図１参照）に表示させる。このため、受光光学系４４では、撮像素子４４ｄ（その受光面）上に眼屈折力測定用リング状指標の像を形成することができ、表示部１４に当該眼屈折力測定用リング状指標の画像を表示させることができる。
【００７２】
アライメント光投影系４５は、ＬＥＤ４５ａとピンホール４５ｂとレンズ４５ｃとを有し、観察光学系４２とハーフミラー４２ａを共用し、固視標投影光学系４１とダイクロイックミラー４１ｇおよび対物レンズ４１ｈを共用する。このアライメント光投影系４５では、ＬＥＤ４５ａからの光束を、ピンホール４５ｂ（その穴部）を通してアライメント指標光束とし、レンズ４５ｃを経てハーフミラー４２ａで反射することで、眼特性測定部４０における主光軸Ｏ１０上に進行させる。そして、アライメント光投影系４５では、アライメント指標光束を、ダイクロイックミラー４１ｇを通して対物レンズ４１ｈへと進行させ、その対物レンズ４１ｈを経て被検眼Ｅの角膜Ｅｃに向けてアライメント指標光束として投影する。このアライメント光投影系４５は、被検眼Ｅの角膜Ｅｃに向けてアライメント指標光束を投影することにより、被検眼Ｅに対して装置本体部１３を自動的にアライメントする機能を有する。その被検眼Ｅに向けて平行光として投影されたアライメント指標光束は、その被検眼Ｅの角膜Ｅｃにおいて反射され、観察光学系４２により撮像素子４２ｄ上にアライメント指標像としての輝点像が投影される。この輝点像が、図示を略す光学系により形成されたアライメントマーク内に位置すると、アライメント完了となる。
【００７３】
この眼特性測定部４０は、固視標光源４１ａと観察光学系４２の照明光源と眼屈折力測定用光源４３ａとＬＥＤ４５ａと角膜形状測定用リング状指標投影光源４６Ａ、４６Ｂ、４６Ｃとの点灯制御を行うためのドライバ（駆動機構）を有し、当該ドライバに制御部３３（図２参照）が接続されている。このため、眼特性測定部４０では、制御部３３の制御下で、固視標光源４１ａと観察光学系４２の照明光源と眼屈折力測定用光源４３ａとＬＥＤ４５ａと角膜形状測定用リング状指標投影光源４６Ａ、４６Ｂ、４６Ｃとが適宜点灯される。また、眼特性測定部４０では、上述したように、制御部３３の制御下で、固視標移動機構４１Ｄを介して固視標ユニット４１Ｕを光軸Ｏ１１に沿って一体に移動させ、指標移動機構４３Ｄを介して指標ユニット４３Ｕを光軸Ｏ１３に沿って一体に移動させるとともに撮像素子４４ｄを光軸Ｏ１４に沿って移動させる。さらに、眼特性測定部４０では、上述したように、制御部３３の制御下で、撮像素子４２ｄおよび撮像素子４４ｄから出力された画像信号に基づく画像の生成処理を行うとともに、その生成した画像を表示部１４に適宜表示させる。
【００７４】
次に、上述した眼特性測定部４０を用いて被検眼Ｅの角膜Ｅｃの形状と被検眼Ｅの眼屈折力（球面度数、乱視度数、乱視軸角度等）とを測定する際の概略的な動作について説明する。なお、眼特性測定部４０における下記の動作は、制御部３３（図２参照）の制御下で実行される。先ず、眼科装置１０の電源スイッチを投入し、表示部１４に眼特性測定部４０を用いて測定を行う旨の操作を行う。すると、眼特性測定部４０では、後述するように眼特性測定モード（図５（ｂ）参照）とした後、観察光学系４２において、照明光源を点灯させて、表示部１４に前眼部（角膜Ｅｃ）の画像を表示させる。そして、検者は、表示部１４の画面内に被検眼Ｅの瞳孔Ｅｐ（図８参照）が位置するように、表示部１４に表示された操作部を操作することにより、装置本体部１３を上下左右に移動させて被検眼Ｅに対する装置本体部１３の概略アライメントを行う。また、眼特性測定部４０（制御部３３）では、撮像素子４２ｄから出力された画像信号に基づく前眼部の画像から、瞳孔Ｅｐを検出することが可能とされている。この瞳孔Ｅｐの検出は、例えば、前眼部の画像において、瞳孔Ｅｐとして認識すべき形状を予め記憶させておき、画像におけるコントラストに基づいて当該認識すべき形状を検出することにより行うことができる。このため、眼特性測定部４０では、例えば、測定の対象とする被検眼Ｅを左右で切り換える場合には、その切り替えに応じて左右方向へと装置本体部１３を移動させつつ画像に基づき瞳孔Ｅｐを検出し、その検出した瞳孔Ｅｐを目標位置として装置本体部１３（眼特性測定部４０）を移動させることで、上記した概略アライメントを自動で行うことができる。
【００７５】
すると、眼特性測定部４０では、観察光学系４２によりアライメント指標像としての輝点像を表示部１４に表示させる。この後、眼特性測定部４０では、アライメント光投影系４５、作動距離検出光学系（図示を略す）に基づくアライメント検出を開始する。すなわち、眼特性測定部４０では、アライメント指標像としての輝点像をアライメントマーク内に位置させるように、ベース１１に対して装置本体部１３を上下方向（Ｙ軸方向）、前後方向（Ｚ軸方向）、および左右方向（Ｘ軸方向）に適宜移動させてオートアライメント（自動でのアライメントの調整）を行う。これにより、眼特性測定部４０では、装置本体部１３の被検眼Ｅの角膜Ｅｃの頂点に対する自動アライメントが完了する。
【００７６】
すると、眼特性測定部４０では、眼屈折力測定用リング状指標投影光学系４３の角膜形状測定用リング状指標投影光源４６Ａ、４６Ｂ、４６Ｃを点灯して、角膜形状測定用リング状指標を角膜Ｅｃに投影する。そして、制御部３３では、表示部１４に表示させた画像（撮像素子４２ｄからの画像信号）に基づいて、角膜Ｅｃに投影された角膜形状測定用リング状指標の像から角膜Ｅｃの形状を測定する。この角膜Ｅｃの形状の測定の詳細については、公知であるのでその説明は省略する。制御部３３は、眼屈折力としての球面度数、円柱度数、軸角度を周知の手法により測定することができる。なお、この眼屈折力測定部の構成は、特開２００２−２５３５０６号公報に開示のものと同一であるが、この構成に限られるものではない。このように、制御部３３は、角膜形状の測定を実行すると共に、眼屈折力（光学特性）の測定を実行する。なお、制御部３３は、演算結果等を記憶部（図示を略す）に適宜格納する。
【００７７】
眼科装置１０では、本実施例では、装置本体部１３において、基本的に眼特性測定部４０の上方に眼圧測定部２０を設けるとともに、その眼圧測定部２０と眼特性測定部４０とを取付基盤に取り付けて互いに固定して設けている。すなわち、眼科装置１０では、装置本体部１３において、眼圧測定部２０と眼特性測定部４０とを一体的な構成として、位置関係を変更させる必要をなくすものとしている。このため、取付基盤すなわちそこに取り付けた眼圧測定部２０および眼特性測定部４０（装置本体部１３）は、駆動部１２すなわちＹ軸駆動部分１２ａとＺ軸駆動部分１２ｂとＸ軸駆動部分１２ｃにより、ベース１１に対して上下方向（Ｙ軸方向）、前後方向（Ｚ軸方向）、および左右方向（Ｘ軸方向）に適宜移動される。そして、眼科装置１０では、駆動部１２（Ｙ軸駆動部分１２ａ、Ｚ軸駆動部分１２ｂおよびＸ軸駆動部分１２ｃ）により、装置本体部１３（取付基盤）をベース１１に対して移動することで、眼圧測定部２０と眼特性測定部４０とのそれぞれを顎受部１５と額当部１６とにより固定された被検眼Ｅ（被検者の顔）に対応する位置へと移動することができる（図５参照）。
【００７８】
このため、眼科装置１０では、装置本体部１３（取付基盤）をベース１１に対して、駆動部１２のＹ軸駆動部分１２ａにより上下方向（Ｙ軸方向）へと移動させることで、眼圧測定部２０の前眼部観察光学系２１の光軸Ｏ１の延長線上に被検眼Ｅを位置させて眼圧測定部２０を当該被検眼Ｅの高さ位置に対応させることができる（図５（ａ）参照）。そして、眼科装置１０では、図５（ａ）に示すように、駆動部１２のＺ軸駆動部分１２ｂにより前後方向（Ｚ軸方向）へと移動させることで、眼圧測定部２０の前眼部観察光学系２１の気流吹付ノズル２１ｂの先端を被検眼Ｅ（その角膜頂点Ｅａ）から第２設定作動距離ｄ２に位置するものとする。その第２設定作動距離ｄ２は、本実施例では、１１ｍｍとしている。この状態が、眼圧測定部２０による測定モードすなわち眼圧測定モードとなる。
【００７９】
また、眼科装置１０では、装置本体部１３（取付基盤）をベース１１に対して、駆動部１２のＹ軸駆動部分１２ａにより上下方向（Ｙ軸方向）へと移動させることで、眼特性測定部４０の主光軸Ｏ１０の延長線上に被検眼Ｅを位置させて眼特性測定部４０を当該被検眼Ｅの高さ位置に対応させることができる（図５（ｂ）参照）。そして、眼科装置１０では、図５（ｂ）に示すように、駆動部１２のＺ軸駆動部分１２ｂにより前後方向（Ｚ軸方向）へと移動させることで、眼特性測定部４０の前端（本実施例ではリングパターン４７）を被検眼Ｅから第１設定作動距離ｄ１に位置するものとする。なお、この眼特性測定部４０の前端とは、当該眼特性測定部４０において最も被検者に近付く構造物のことを言い、本実施例ではリングパターン４７となる。その第１設定作動距離ｄ１は、本実施例では、約８０ｍｍとしている。この状態が、眼特性測定部４０による測定モードすなわち眼特性測定モードとなる。
【００８０】
これに伴って、眼科装置１０は、本実施例では、眼圧測定部２０の前端（気流吹付ノズル２１ｂ）を、眼特性測定部４０の前端（リングパターン４７）よりもＺ軸方向正側（被検者側）に変位させている。これは、以下のことによる。眼科装置１０では、上記した構成により、眼圧測定モードとすると、図５（ａ）に示すように、被検者の鼻や口の前に眼特性測定部４０の前端となるリングパターン４７が位置する。また、眼科装置１０では、眼圧測定部２０と眼特性測定部４０とを一体的な構成として、位置関係を変更しないものとしている。このため、眼科装置１０では、例えば、Ｚ軸方向（前後方向）で見て、眼圧測定部２０の前端と眼特性測定部４０の前端とを等しい位置とすると、眼圧測定モードにおいて、リングパターン４７が被検者の鼻や口に接触したり、接触しなくてもリングパターン４７が被検者に窮屈な感覚を与えたりしてしまう。このことを鑑みて、眼科装置１０では、眼圧測定部２０の前端（気流吹付ノズル２１ｂ）を眼特性測定部４０の前端（リングパターン４７）よりもＺ軸方向正側に変位させることで、眼圧測定モード時に、被検者の鼻や口の前に空間を確保している。
【００８１】
これに伴って、眼科装置１０は、本実施例では、眼特性測定部４０において、測定を実行する際の被検眼Ｅ（その角膜頂点Ｅａ）から眼特性測定部４０の前端（本実施例ではリングパターン４７）までの第１設定作動距離ｄ１を、７５ｍｍ以上（本実施例では、約８０ｍｍ）としている。これは、以下のことによる。この第１設定作動距離ｄ１は、眼特性測定部４０による被検眼Ｅの測定を実行することを可能とする距離であり、当該眼特性測定部４０により測定を実行する際に、被検眼Ｅ（その状態）に応じてＺ軸方向へと移動されるときの基準となる位置となる。このため、眼特性測定部４０では、第１設定作動距離ｄ１からＺ軸方向の正側および負側へと移動するための移動幅が設定されており、本実施例ではその移動幅が±２０ｍｍとされている。また、眼科装置１０では、上述したように、眼圧測定部２０の前端（気流吹付ノズル２１ｂ）を眼特性測定部４０の前端（リングパターン４７）よりもＺ軸方向正側に変位させている。これにより、眼科装置１０では、眼特性測定モードとすると、図５（ｂ）に示すように、顎受部１５とともに被検者の顔を固定する額当部１６と対向して、眼圧測定部２０の前端となる気流吹付ノズル２１ｂが位置する。このため、眼科装置１０では、眼特性測定部４０における第１設定作動距離ｄ１を小さなものとすると、上記した移動幅でＺ軸方向正側（被検者側）へと移動させた際に、眼圧測定部２０の前端（気流吹付ノズル２１ｂ）を顎受部１５に干渉させてしまう虞がある。換言すると、眼科装置１０では、眼特性測定部４０を第１設定作動距離ｄ１から上記した移動幅でＺ軸方向正側（被検者側）へと移動させることを可能とするためには、その第１設定作動距離ｄ１を大きくする必要がある。このことから、眼科装置１０では、眼特性測定部４０において、第１設定作動距離ｄ１を７５ｍｍ以上に設定しており、本実施例では約８０ｍｍとしている。なお、このような第１設定作動距離ｄ１の設定は、眼特性測定部４０における各光学部材の光学特性の設定を調整することにより行うことができる。このため、眼科装置１０では、眼圧測定部２０の前端（気流吹付ノズル２１ｂ）を眼特性測定部４０の前端（リングパターン４７）よりもＺ軸方向正側に変位させていても、眼特性測定モードとした際に眼圧測定部２０の前端（気流吹付ノズル２１ｂ）が顎受部１５と干渉することを確実に防止する。
【００８２】
これに加えて、眼科装置１０では、図６（ａ）に示すように、所定の高さ位置ＨＬに到達したことを検出する高さ位置検出部４８を装置本体部１３に設けている。その高さ位置ＨＬは、眼圧測定部２０の気流吹付ノズル２１ｂが額当部１６と干渉することを防止する観点から設定している。なお、図６（ａ）に示す例では、高さ位置ＨＬは、気流吹付ノズル２１ｂと額当部１６との間隔を十分な大きさとするものとしているが、その間隔は適宜設定すればよく、この実施例に限定されるものではない。高さ位置検出部４８は、装置本体部１３が高さ位置ＨＬに到達すると、その旨を示す信号を制御部３３（図２参照）へと出力する。その制御部３３では、高さ位置検出部４８からの当該信号を取得すると、眼圧測定モードである場合、あるいは眼圧測定部２０が所定の前後位置よりもＺ軸方向正側（被検者側）に存在している場合、装置本体部１３を上方へと移動させることを止める。その所定の前後位置は、Ｚ軸方向で見て、気流吹付ノズル２１ｂが額当部１６に干渉することを防止する観点から設定する。
【００８３】
そして、制御部３３では、高さ位置検出部４８からの上記した信号を取得すると、装置本体部１３の上方への移動を止めるとともに、装置本体部１３を上方（Ｙ軸方向正側）へと移動させた状況に応じた制御を実行する。その状況に応じた制御とは、例えば、表示部１４で為された操作に基づいて装置本体部１３を上方へと移動させている場合には、表示部１４にこれ以上の上方への移動が出来ない旨を表示することがあげられる。また、状況に応じた制御とは、例えば、眼圧測定部２０から眼特性測定部４０へと切り替えのための移動を行っている場合には、装置本体部１３を前後方向の後方（Ｚ軸方向負側）へと後退（移動）させた後に装置本体部１３を上方へと移動させることがあげられる。さらに、制御部３３では、眼圧測定部２０における自動アライメントを行っている場合に、高さ位置検出部４８から当該信号を取得すると、被検眼Ｅの検出を遣り直す。これは、眼圧測定部２０における自動アライメントを行っている際に、装置本体部１３を高さ位置ＨＬへと到達させてしまったことは、アライメントの基準とする被検眼Ｅの検出に失敗したことを意味することによる。
【００８４】
また、制御部３３は、眼科装置１０の電源スイッチが投入されると、装置本体部１３の移動を実行する前に、高さ位置検出部４８から上記した信号が出力されているか否かを判断する。そして、制御部３３は、高さ位置検出部４８から上記した信号が出力されていない場合、適宜装置本体部１３の移動を実行する。また、制御部３３は、高さ位置検出部４８から上記した信号が出力されている場合、装置本体部１３の上方への移動は行わず、状況に応じた制御を実行する。その状況に応じた制御とは、例えば、表示部１４で装置本体部１３を上方へと移動させる操作が為された場合、表示部１４にこれ以上の上方への移動が出来ない旨を表示することがあげられる。また、状況に応じた制御とは、例えば、眼圧測定部２０から眼特性測定部４０へと切り替えのための移動を行う場合には、装置本体部１３を前後方向の後方（Ｚ軸方向負側）へと後退（移動）させた後に装置本体部１３を上方へと移動させることがあげられる。これにより、眼科装置１０では、例えば、眼圧測定部２０から眼特性測定部４０へと切り替え動作を行っていて、高さ位置検出部４８が上記した信号を出力した状態で、電源スイッチが切られた場合であっても、再び電源スイッチが投入された際に、気流吹付ノズル２１ｂが額当部１６に干渉することを確実に防止しつつ装置本体部１３の移動を行うことができる。なお、高さ位置検出部４８は、図６（ａ）に示す例では、装置本体部１３に設けていたが、実際に装置本体部１３の高さ方向すなわちＹ軸方向での位置を制御する駆動部１２のＹ軸駆動部分１２ａに設けるものであってもよく、他の場所に設けるものであってもよく、本実施例に限定されるものではない。
【００８５】
さらに、眼科装置１０では、図６（ｂ）に示すように、所定の前方位置ＦＬに到達したことを検出する前方位置検出部４９を装置本体部１３に設けている。その前方位置ＦＬは、眼特性測定モードである場合に、眼圧測定部２０の気流吹付ノズル２１ｂが額当部１６と干渉することを防止する観点から設定している。この前方位置ＦＬは、本実施例では、気流吹付ノズル２１ｂの先端と額当部１６との間隔を１ｍｍとする位置とされている。なお、前方位置ＦＬは、気流吹付ノズル２１ｂと額当部１６との間隔を適宜設定したものとすればよく、この実施例に限定されるものではない。前方位置検出部４９は、装置本体部１３が前方位置ＦＬに到達すると、その旨を示す信号を制御部３３（図２参照）へと出力する。その制御部３３では、眼特性測定モードである場合に前方位置検出部４９からの当該信号を取得すると、装置本体部１３を前方（Ｚ軸方向正側（被検者側））へと移動させることを止める。
【００８６】
そして、制御部３３では、眼特性測定モードである場合に前方位置検出部４９からの上記した信号を取得すると、装置本体部１３の前方への移動を止めるとともに、装置本体部１３を前方へと移動させた状況に応じた制御を実行する。その状況に応じた制御とは、例えば、表示部１４で為された操作に基づいて装置本体部１３を前方へと移動させている場合には、表示部１４にこれ以上の前方への移動が出来ない旨を表示することがあげられる。また、制御部３３は、眼科装置１０の電源スイッチが投入されると、装置本体部１３の移動を実行する前に、前方位置検出部４９から上記した信号が出力されているか否かを判断する。そして、制御部３３は、前方位置検出部４９から上記した信号が出力されていない場合、適宜装置本体部１３の移動を実行する。また、制御部３３は、前方位置検出部４９から上記した信号が出力されている場合、装置本体部１３の前方への移動は行わず、状況に応じた制御を実行する。その状況に応じた制御とは、例えば、表示部１４で装置本体部１３を前方へと移動させる操作が為された場合、表示部１４にこれ以上の前方への移動が出来ない旨を表示することがあげられる。なお、前方位置検出部４９は、図６（ｂ）に示す例では、装置本体部１３に設けていたが、実際に装置本体部１３の前後方向すなわちＺ軸方向での位置を制御する駆動部１２のＺ軸駆動部分１２ｂに設けるものであってもよく、他の場所に設けるものであってもよく、本実施例に限定されるものではない。
【００８７】
この眼科装置１０では、一般的に、眼特性測定部４０により被検眼Ｅの角膜Ｅｃの形状と被検眼Ｅの眼屈折力（球面度数、乱視度数、乱視軸角度等）とを測定した後に、眼圧測定部２０により被検眼Ｅの眼圧を測定する。眼科装置１０では、上述したように、表示部１４に為された操作に基づいて、制御部３３（図２参照）が各部の動作を制御する。
【００８８】
眼科装置１０では、電源スイッチが投入されると、表示部１４に、眼圧測定モードとする眼圧切替アイコンと、眼特性測定モードとする眼特性切替アイコンと、を表示する。なお、この表示部１４では、眼圧測定モードと眼特性測定モードとの選択および切り替えを可能とするものであれば、眼圧切替アイコンと眼特性測定モードとを表示することに替えて単一の切替アイコンを表示されるものであってもよく、他の形式としたアイコンを表示させるものであってもよく、本実施例の構成に限定されるものではない。そして、先に眼特性測定部４０により被検眼Ｅの角膜Ｅｃの形状と被検眼Ｅの眼屈折力（球面度数、乱視度数、乱視軸角度等）とを測定すべく、表示部１４の眼特性切替アイコンに触れられた（選択された）ものとする。
【００８９】
すると、眼科装置１０では、駆動部１２のＹ軸駆動部分１２ａとＺ軸駆動部分１２ｂとＸ軸駆動部分１２ｃとを適宜駆動して、眼特性測定モードとする（図５（ｂ）参照）。すなわち、眼科装置１０では、図５（ｂ）に示すように、眼特性測定部４０の主光軸Ｏ１０の延長線上に被検眼Ｅを位置させるとともに、眼特性測定部４０の固視標投影光学系４１の対物レンズ４１ｈを被検眼Ｅから第１設定作動距離ｄ１に位置するものとして、眼特性測定部４０を被検眼Ｅに対応させる。そして、眼科装置１０では、眼特性測定部４０の上述した動作により、被検眼Ｅの角膜Ｅｃの形状と被検眼Ｅの眼屈折力（球面度数、乱視度数、乱視軸角度等）とを測定する。その後、被検眼Ｅの眼圧を測定すべく、表示部１４の眼圧切替アイコンに触れられた（選択された）ものとする。
【００９０】
すると、眼科装置１０では、駆動部１２のＹ軸駆動部分１２ａとＺ軸駆動部分１２ｂとＸ軸駆動部分１２ｃとを適宜駆動して、眼圧測定モードとする（図５（ａ）参照）。ここで、眼科装置１０では、先ず装置本体部１３をＹ軸方向負側へと移動して、眼圧測定部２０を被検眼Ｅに対応する高さ位置とする。このとき、眼科装置１０では、合焦駆動機構２１Ｄを介して、ＣＣＤカメラ２１ｉの光軸Ｏ１上での位置を第２焦点位置ｆ２（図３参照）とする。これにより、眼科装置１０では、被検眼Ｅ（その前眼部（角膜Ｅｃ））の画像を適切に表示部１４に表示させることができる。その後、眼科装置１０では、装置本体部１３をＺ軸方向正側へと移動して、眼圧測定部２０を被検眼Ｅに近付けていき、図５（ａ）に示すように、その気流吹付ノズル２１ｂの先端を被検眼Ｅから第２設定作動距離ｄ２に位置するものとして、眼圧測定部２０を被検眼Ｅに対応させる。このとき、眼科装置１０では、合焦駆動機構２１Ｄを介して、ＣＣＤカメラ２１ｉの光軸Ｏ１上での位置を第１焦点位置ｆ１（図３参照）へと移動する。これにより、眼科装置１０では、被検眼Ｅ（その前眼部（角膜Ｅｃ））の画像を適切に表示部１４に表示させることができる。そして、眼科装置１０では、眼圧測定部２０の上述した動作により、被検眼Ｅの眼圧を測定する。
【００９１】
これにより、眼科装置１０では、眼特性測定部４０により被検眼Ｅの角膜Ｅｃの形状と被検眼Ｅの眼屈折力（球面度数、乱視度数、乱視軸角度等）とを測定し、眼圧測定部２０により被検眼Ｅの眼圧を測定することができる。
【００９２】
次に、本発明に係る本実施例の眼科装置１０の特徴的な構成について、図７から図１１を用いて説明する。なお、図７では、眼特性測定部４０が第１設定作動距離ｄ１とされた様子を示すとともに、図１０では、眼圧測定部２０が第２設定作動距離ｄ２とされた様子を示しているが、この第１設定作動距離ｄ１と第２設定作動距離ｄ２と差異に基づく被検者に対する位置の差異を解り易く示したものであって、必ずしも実際の装置における差異（移動の様子）と合致するものではない。
【００９３】
眼科装置１０では、眼特性測定部４０（図４参照）を用いて眼特性を測定する際、観察光学系４２により撮像素子４２ｄ（その受光面）上に前眼部（角膜Ｅｃ）の像を形成することで、前眼部の画像を取得して、当該画像（そのデータ）を制御部３３に出力する。そして、眼科装置１０では、この観察光学系４２（撮像素子４２ｄ）で取得した画像を、制御部３３（図２参照）の制御下で表示部１４に表示させることができる（図８参照）。
【００９４】
また、眼科装置１０では、制御部３３が、入力された画像（そのデータ）において、被検眼Ｅ（角膜Ｅｃ）における瞳孔Ｅｐの位置を検出することが可能とされている。この瞳孔Ｅｐの検出は、前眼部の画像において、瞳孔Ｅｐとして認識すべき形状を予め記憶させておき、当該画像におけるコントラストに基づいてその認識すべき形状を検出することにより行うことができる。これにより、制御部３３は、前眼部の画像において、瞳孔Ｅｐを示す領域やその中心位置を検出することができる。なお、この瞳孔Ｅｐの位置の検出は、観察光学系４２（撮像素子４２ｄ）で取得した画像（そのデータ）において検出するものであれば、他の方法によるものであってもよく、本実施例の方法に限定されるものではない。
【００９５】
そして、眼科装置１０では、瞳孔Ｅｐの位置を検出する機能を用いて、被検眼Ｅに対する装置本体部１３の概略アライメントを行うことが可能とされている。この概略アライメントの一例を、眼特性測定部４０で両被検眼を順に測定する図７に示す状況を用いて説明する。この図７に示す状況では、先ず被検者の左眼（個別に示す場合は被検眼ＥＬとする）を測定対象とし（図７（ａ）参照）、その後に被検者の右眼（個別に示す場合は被検眼ＥＲとする）を測定対象としている（図７（ｂ）参照）。この場合、制御部３３では、被検眼ＥＬを測定した後に、被検眼ＥＲ側を測定対象とすべく装置本体部１３（眼特性測定部４０）を被検眼ＥＲ側（Ｘ軸方向負側）へと移動させて、被検眼ＥＲに対応する位置とする概略アライメントを行う。このとき、制御部３３に入力された画像（そのデータ）では、図８（ａ）に示すように被検眼ＥＬが右側へと移動していき、やがて図８（ｂ）に示すように観察光学系４２の視野（表示部１４の画面上）に被検眼ＥＲが入ってくる。そして、図８（ｃ）に示すように、被検眼ＥＲが画像（そのデータ）の中心方向へと入ってくることにより、その被検眼ＥＲの瞳孔Ｅｐを検出することが可能となる。そして、その瞳孔Ｅｐを検出し、その検出した瞳孔Ｅｐを目標位置として装置本体部１３（眼特性測定部４０）を移動させることにより、自動での概略アライメントが完了する。これにより、眼特性測定部４０（制御部３３）では、上述したように、装置本体部１３の被検眼Ｅの角膜Ｅｃの頂点に対する自動アライメントを実行することができ、被検眼ＥＲの測定を行うことが可能となる。
【００９６】
この際、眼特性測定部４０では、第１設定作動距離ｄ１が大きなものとされていることから、図７に示すように、装置本体部１３（その先端）が被検者と干渉することはないので、その装置本体部１３をＺ軸方向へと移動させることなくＸ軸方向に移動させることができる。ここで、観察光学系４２は、眼特性測定部４０での測定のために設けられているものであることから、当該眼特性測定部４０の第１設定作動距離ｄ１とされている被検眼Ｅに対して適切にピントが合わせられている。このため、眼特性測定部４０（制御部３３）では、関係ないものを瞳孔Ｅｐとして検出したり瞳孔Ｅｐを検出出来なかったり等の瞳孔Ｅｐの誤検出は基本的に生じない。
【００９７】
加えて、眼科装置１０では、制御部３３が、ＸＹＺの各方向での位置を記憶することが可能とされている。このＸＹＺの各方向での位置は、本実施例では、駆動部１２のＹ軸駆動部分１２ａとＺ軸駆動部分１２ｂとＸ軸駆動部分１２ｃとにおける駆動源としてのパルスモータのパルス数を用いて制御されている。このため、制御部３３は、ＸＹＺの各方向でのそれぞれの基準位置からのパルス数をカウントし、そのカウント数を記憶することで、ＸＹＺの各方向での位置を記憶する。この記憶は、制御部３３の内蔵する記憶部もしくは当該制御部３３の外部に設けられた記憶部に格納することにより行う。この機能を用いて、制御部３３では、被検眼ＥＬを測定すべくアライメントが完了した時点での装置本体部１３のＸＹＺの各方向での位置と、被検眼ＥＲを測定すべくアライメントが完了した時点での装置本体部１３のＸＹＺの各方向での位置と、を記憶する。そして、制御部３３では、双方のＸＹＺの各方向での位置の差分を求めることで、被検眼ＥＬと被検眼ＥＲとの間隔である両眼間隔ｄｍ（図７等参照）を求め、その求めた当該両眼間隔ｄｍを記憶する。また、制御部３３では、双方のＸ軸方向での位置の差分を求めることで、両眼間隔ｄｍを求めるものとしてもよい。なお、このＸＹＺの各方向での位置の記憶は、装置本体部１３（眼特性測定部４０）の位置の変化に基づいて行うものであればよく、駆動部１２の構成等に応じて適宜行うことができ、本実施例の構成に限定されるものではない。
【００９８】
さらに、眼科装置１０では、制御部３３が、眼特性測定部４０（第１測定部）の観察光学系４２（第１観察光学系）で取得した前眼部（角膜Ｅｃ）の画像（そのデータ）を用いて、両眼間隔ｄｍを求めるものとすることもできる。これは、両眼間隔ｄｍは、後述するように眼圧測定部２０（第２測定部）による測定の際の左右の被検眼Ｅの切り換えに用いるものであることから、被検者の両被検眼Ｅの位置を把握すればよいことによる。この画像（そのデータ）を用いて求める方法としては、例えば、当該画像における両被検眼Ｅの瞳孔Ｅｐの中心位置を用いることと、当該画像における両被検眼Ｅの角膜Ｅｃの角膜頂点Ｅａ（その位置）を用いることと、があげられる。その瞳孔Ｅｐの中心位置は、上述したように制御部３３が画像（そのデータ）において瞳孔Ｅｐの中心位置を検出できるので、この機能を利用すればよい。また、角膜頂点Ｅａ（その位置）は、制御部３３が、アライメント光投影系４５により形成される輝点像の画像（そのデータ）における位置、すなわち当該輝点像のＸ−Ｙ平面上での位置を求めることにより、検出することができる。これは、アライメント光投影系４５により形成される輝点像は、角膜頂点Ｅａと角膜Ｅｃの曲率中心とを通る軸線上に形成されるものであることによる。このことから、上述したようにアライメントが完了した時点での装置本体部１３のＸＹＺの各方向での位置を用いて両眼間隔ｄｍを求めることは、装置本体部１３の位置を用いて両被検眼Ｅの角膜頂点Ｅａから両眼間隔ｄｍを求めていることとなる。
【００９９】
加えて、眼科装置１０では、制御部３３は、眼特性測定部４０（第１測定部）の観察光学系４２（第１観察光学系）で取得した前眼部（角膜Ｅｃ）の画像（そのデータ）を用いて、当該眼特性測定部４０の主光軸Ｏ１０と、被検眼Ｅのズレ量（大きさおよび方向）を検出することが可能とされている。これは、被検眼Ｅの位置として、例えば、画像（そのデータ）から上述したように瞳孔Ｅｐの中心位置や角膜頂点Ｅａ（その位置）を求めることができるので、それらの位置と現在の眼圧測定部２０の光軸Ｏ１の位置とのズレ量（大きさおよび方向）を求めればよいことによる。同様に、制御部３３は、眼圧測定部２０（第２測定部）の前眼部観察光学系２１（第２観察光学系）で取得した前眼部（角膜Ｅｃ）の画像（そのデータ）を用いて、当該眼圧測定部２０の光軸Ｏ１と、被検眼Ｅのズレ量（大きさおよび方向）を検出することが可能とされている。そして、制御部３３は、装置本体部１３のＸＹＺの各方向での位置を求める際に当該ズレ量を補正値として用いることができるとともに、装置本体部１３を移動させる際に当該ズレ量を補正値として用いることができる。
【０１００】
次に、制御部３３において実行される、第２測定部を一方の被検眼Ｅに適合する位置から他方の被検眼Ｅに適合する位置へと自動で移動させる一実施例としての第２測定部（眼圧測定部２０）における左右眼切換動作方法を実行する左右眼切換動作処理について、図９を用いて説明する。その図９は、本実施例における制御部３３にて実行される左右眼切換動作処理（左右眼切換動作方法）を示すフローチャートである。この左右眼切換動作処理（左右眼切換動作方法）は、制御部３３の内蔵する記憶部もしくは当該制御部３３の外部に設けられた記憶部に記憶されたプログラムに基づいて、制御部３３が実行する。
【０１０１】
左右眼切換動作処理（左右眼切換動作方法）は、基本的に、眼特性測定部４０（第１測定部）を用いて被検者の左右の被検眼Ｅを測定する際に両被検眼Ｅの両眼間隔ｄｍを求め、その求めた両眼間隔ｄｍを用いて眼圧測定部２０（第２測定部）による測定の際の左右の被検眼Ｅの切り換えのための移動を行うものである。このため、左右眼切換動作処理（左右眼切換動作方法）では、先に眼特性測定部４０（第１測定部）を用いて被検者の左右の被検眼Ｅを測定していることが必要となる。なお、この先に行う眼特性測定部４０（第１測定部）を用いた測定は、眼圧測定部２０（第２測定部）で被検者の左右の被検眼Ｅを測定する直前に行われるものに限定されるものではなく、過去に当該被検者に対して行ったものであってもよく、本実施例に限定されるものではない。この場合、過去に当該被検者に対して行った際の両眼間隔ｄｍを、当該被検者に関連付けて記憶しておけばよい。
【０１０２】
以下では、この左右眼切換動作処理（左右眼切換動作方法）としての図９のフローチャートの各ステップ（各工程）について説明する。この図９のフローチャートは、眼特性測定部４０（第１測定部）を用いて、被検眼ＥＬ（左眼）を測定してから被検眼ＥＲ（右眼）を測定し、引き続いて、眼圧測定部２０（第２測定部）を用いて、被検眼ＥＲ（右眼）を測定してから被検眼ＥＬ（左眼）を測定する設定とした例を示している。なお、眼特性測定部４０（第１測定部）での測定から眼圧測定部２０（第２測定部）での測定への移行は、眼特性測定部４０（第１測定部）における左右眼の測定が完了すると自動的に切り替えるものであってもよいし、上述したように眼圧切替アイコンに触れることにより行われるものであってもよい。また、左右の被検眼Ｅを測定する際の左右の順序はいずれからであってもよく、この実施例に限定されるものではない。さらに、眼特性測定部４０（第１測定部）および眼圧測定部２０（第２測定部）での測定において、左右の被検眼Ｅの切り換えの実行は、実行する旨の操作により行うものであってもよい。このフローチャート（左右眼切換動作処理（左右眼切換動作方法））は、眼特性測定部４０（第１測定部）により被検眼ＥＬの測定を開始する操作が為されることにより開始される。
【０１０３】
ステップＳ１では、眼特性測定部４０（第１測定部）の被検眼ＥＬに対する自動アライメントを実行して、ステップＳ２へ進む。このステップＳ１では、眼特性測定部４０において、アライメント光投影系４５および作動距離検出光学系（図示を略す）に基づいて、被検眼ＥＬに形成したアライメント指標像としての輝点像をアライメントマーク内に位置させるように、ベース１１に対して装置本体部１３を適宜移動させて自動アライメントを行う。これにより、眼特性測定部４０の主光軸Ｏ１０上に被検眼ＥＬが位置されるとともに、眼特性測定部４０の先端が被検眼ＥＬから第１設定作動距離ｄ１に位置するものとされて、眼特性測定部４０が被検眼ＥＬに適合する位置とされる。
【０１０４】
ステップＳ２では、ステップＳ１での眼特性測定部４０（第１測定部）の被検眼ＥＬに対する自動アライメントの実行に続き、眼特性測定部４０（第１測定部）による被検眼ＥＬの眼特性の測定を行って、ステップＳ３へ進む。このステップＳ２では、上述したように、眼特性測定部４０による被検眼ＥＬの眼特性の測定を実行する。本実施例のステップＳ２では、特性測定部４０により、被検眼ＥＬの角膜形状と眼屈折力（光学特性）とを測定する。
【０１０５】
ステップＳ３では、ステップＳ２での眼特性測定部４０（第１測定部）による被検眼ＥＬの眼特性の測定に続き、眼特性測定部４０（第１測定部）の被検眼ＥＬに対する自動アライメントを実行して、ステップＳ４へ進む。このステップＳ３では、ステップＳ１と同様に、被検眼ＥＬに対する自動アライメントを行う。これにより、眼特性測定部４０の主光軸Ｏ１０上に被検眼ＥＬが位置されるとともに、眼特性測定部４０の先端が被検眼ＥＬから第１設定作動距離ｄ１に位置するものとされて、眼特性測定部４０が被検眼ＥＬに適合する位置とされる。そして、ステップＳ３では、自動アライメントが完了すると、その完了した状態における装置本体部１３（眼特性測定部４０）のＸＹＺ軸方向での位置（座標位置）を記憶する。なお、この位置の記憶は、Ｘ軸方向での位置のみであってもよい。すなわち、このステップＳ３では、被検眼ＥＬの測定を終えて被検眼ＥＲの測定へと移行する段階であることから、その移行の直前の被検眼ＥＬの正確な位置を記憶するために、被検眼ＥＬに対する自動アライメントを行う。なお、上述したように、眼特性測定部４０（第１測定部）の観察光学系４２（第１観察光学系）で取得した前眼部（角膜Ｅｃ）の画像（そのデータ）を用いて補正量としてのズレ量を用いる場合、あるいはその画像（そのデータ）を用いて両眼間隔ｄｍを求める場合には、当該画像（そのデータ）において瞳孔Ｅｐの中心位置あるいは輝点像（角膜頂点Ｅａ）の位置を検出することが位置まで移動すればよい。
【０１０６】
ステップＳ４では、ステップＳ３での眼特性測定部４０（第１測定部）の被検眼ＥＬに対する自動アライメントの実行に続き、眼特性測定部４０（第１測定部）の両被検眼Ｅに対する左右切換移動を行って、ステップＳ５へ進む。このステップＳ４では、被検眼ＥＬの眼特性を測定した後であって、被検眼ＥＲの眼特性は未だ測定していないことから、装置本体部１３を被検眼ＥＲ側（Ｘ軸方向負側）へと移動させて、被検眼ＥＲに対応する位置とする概略アライメントを行う。すなわち、ステップＳ４では、観察光学系４２（撮像素子４２ｄ）で取得した画像において被検眼ＥＲ（その瞳孔Ｅｐ）の検出制御を実行しつつ装置本体部１３を被検眼ＥＲ側（Ｘ軸方向負側）へと移動させる。そして、ステップＳ４では、被検眼ＥＲの瞳孔Ｅｐを検出すると、当該瞳孔Ｅｐ（その中心）を眼特性測定部４０の主光軸Ｏ１０上に位置させるように装置本体部１３を移動（概略アライメント）させる。すなわち、ステップＳ４では、被検眼ＥＲの瞳孔Ｅｐを検出し、その検出した瞳孔Ｅｐ（その中心）を目標位置として装置本体部１３（眼特性測定部４０）を移動させる。これにより、被検眼Ｅの左右切換移動（この例では、被検眼ＥＬから被検眼ＥＲ）が完了する。
【０１０７】
ステップＳ５では、ステップＳ４での眼特性測定部４０（第１測定部）の両被検眼Ｅに対する左右切換移動に続き、眼特性測定部４０（第１測定部）の被検眼ＥＲに対する自動アライメントを実行して、ステップＳ６へ進む。このステップＳ５では、ステップＳ１およびステップＳ３と同様に、被検眼ＥＲに対する自動アライメントを行う。これにより、眼特性測定部４０の主光軸Ｏ１０上に被検眼ＥＲが位置されるとともに、眼特性測定部４０の先端が被検眼ＥＲから第１設定作動距離ｄ１に位置するものとされて、眼特性測定部４０が被検眼ＥＲに適合する位置とされる。そして、ステップＳ５では、自動アライメントが完了すると、その完了した状態における装置本体部１３（眼特性測定部４０）のＸＹＺ軸方向での位置（座標位置）を記憶する。なお、この位置の記憶は、Ｘ軸方向での位置のみであってもよい。
【０１０８】
ステップＳ６では、ステップＳ５での眼特性測定部４０（第１測定部）の被検眼ＥＲに対する自動アライメントの実行に続き、両被検眼Ｅ（被検眼ＥＬと被検眼ＥＲと）の両眼間隔ｄｍを算出して、ステップＳ７へ進む。このステップＳ６では、ステップＳ３で記憶した被検眼ＥＬの位置と、ステップＳ５で記憶した被検眼ＥＲの位置と、に基づいて、両被検眼Ｅ（被検眼ＥＬと被検眼ＥＲと）の両眼間隔ｄｍを算出して、当該両眼間隔ｄｍを記憶する。このため、ステップＳ６では、装置本体部１３の位置を用いて両被検眼Ｅの角膜頂点Ｅａから両眼間隔ｄｍを求めている。なお、上述したように、眼特性測定部４０（第１測定部）の観察光学系４２（第１観察光学系）で取得した前眼部（角膜Ｅｃ）の画像（そのデータ）を用いて両眼間隔ｄｍを求める場合には、両被検眼Ｅの瞳孔Ｅｐの中心位置を用いるものとしてもよく、両被検眼Ｅの角膜Ｅｃの角膜頂点Ｅａ（その位置）を用いるものとしてもよい。ここで、本実施例の眼圧測定部２０（第２測定部）は、被検眼Ｅの眼圧を測定するものであって、被検眼Ｅの角膜Ｅｃの角膜頂点Ｅａ（その位置）に光軸Ｏ１を一致させて測定を行うので、両被検眼Ｅの角膜Ｅｃの角膜頂点Ｅａ（その位置）を用いて両眼間隔ｄｍを求めることが望ましい。
【０１０９】
ステップＳ７では、ステップＳ６での両被検眼Ｅの両眼間隔ｄｍの算出に続き、眼特性測定部４０（第１測定部）による被検眼ＥＲの眼特性の測定を行って、ステップＳ８へ進む。このステップＳ７では、上述したように、眼特性測定部４０による被検眼ＥＲの眼特性の測定を実行する。本実施例のステップＳ７では、特性測定部４０により、被検眼ＥＲの角膜形状と眼屈折力（光学特性）とを測定する。
【０１１０】
ステップＳ８では、ステップＳ７での眼特性測定部４０（第１測定部）による被検眼ＥＲの眼特性の測定に続き、眼特性測定モードから眼圧測定モードへの切換制御を行って、ステップＳ９へ進む。このステップＳ８では、上述したように、駆動部１２のＹ軸駆動部分１２ａとＺ軸駆動部分１２ｂとＸ軸駆動部分１２ｃとを適宜駆動することで、眼特性測定モードとするから眼圧測定モードへと切り換える。この例では、眼特性測定部４０の主光軸Ｏ１０上に被検眼ＥＲが位置している状態（図５（ｂ）、図７（ｂ）参照）から、眼圧測定部２０の光軸Ｏ１上に被検眼ＥＲが位置している状態（図５（ａ）、図１０（ａ）参照）へと移行させる。
【０１１１】
ステップＳ９では、ステップＳ８での眼特性測定モードから眼圧測定モードへの切換制御に続き、眼圧測定部２０（第２測定部）の被検眼ＥＲに対する自動アライメントを実行して、ステップＳ１０へ進む。このステップＳ９では、眼圧測定部２０において、前眼部観察光学系２１から得られる被検眼ＥＲのＸＹ方向での位置およびＺアライメント検出補正部３２から出力される演算結果に基づいて、ベース１１に対して装置本体部１３を適宜移動させて自動アライメントを行う。すると、装置本体部１３がＺ軸方向正側へと移動されて、眼圧測定部２０が被検眼ＥＲに近付いていき、その気流吹付ノズル２１ｂの先端を被検眼ＥＲから第２設定作動距離ｄ２に位置するものとされる。これにより、眼圧測定部２０の光軸Ｏ１上に被検眼ＥＲが位置されるとともに、眼圧測定部２０の先端が被検眼ＥＲから第２設定作動距離ｄ２に位置するものとされて、眼圧測定部２０が被検眼ＥＲに適合する位置とされる。
【０１１２】
ステップＳ１０では、ステップＳ９での眼圧測定部２０（第２測定部）の被検眼ＥＲに対する自動アライメントの実行に続き、眼圧測定部２０（第２測定部）による被検眼ＥＲの眼圧の測定を行って、ステップＳ１１へ進む。このステップＳ１０では、上述したように、眼圧測定部２０による被検眼ＥＲの眼圧の測定を実行する。
【０１１３】
ステップＳ１１では、ステップＳ１０での眼圧測定部２０（第２測定部）による被検眼ＥＲの眼圧の測定に続き、眼圧測定部２０（第２測定部）の被検眼ＥＲに対する自動アライメントを実行して、ステップＳ１２へ進む。このステップＳ１１では、ステップＳ９と同様に被検眼ＥＲに対する自動アライメントを行う。これにより、眼圧測定部２０の光軸Ｏ１上に被検眼ＥＲが位置されるとともに、眼圧測定部２０の先端が被検眼ＥＲから第２設定作動距離ｄ２に位置するものとされて、眼圧測定部２０が被検眼ＥＲに適合する位置とされる。そして、ステップＳ１１では、自動アライメントが完了すると、その完了した状態における装置本体部１３（眼圧測定部２０）のＸＹＺ軸方向での位置（座標位置）を記憶する。なお、この位置の記憶は、Ｘ軸方向での位置のみであってもよい。また、このステップＳ１１では、眼圧測定部２０（第２測定部）の前眼部観察光学系２１（第２観察光学系）で取得した前眼部（角膜Ｅｃ）の画像（そのデータ）において瞳孔Ｅｐの中心位置あるいは輝点像（角膜頂点Ｅａ）の位置を検出することができる位置まで移動するものとしてもよい。これは、このステップＳ１１では、後述するように、ステップＳ１２における両眼間隔ｄｍを用いて装置本体部１３（眼圧測定部２０）を移動する際の基準位置を定めるものであることによる。この場合、制御部３３は、当該画像（そのデータ）に被検眼Ｅの瞳孔Ｅｐの中心位置あるいはＸＹアライメント指標投影光学系２２により形成される輝点像（角膜頂点Ｅａ）の位置が存在していれば、それらの位置と現在の眼圧測定部２０の光軸Ｏ１の位置とのズレ量（大きさおよび方向）を認識することができるので、そのズレ量を補正値として用いることにより、ステップＳ１２における基準位置を定める。
【０１１４】
ステップＳ１２では、ステップＳ１１での眼圧測定部２０（第２測定部）の被検眼ＥＲに対する自動アライメントの実行に続き、両眼間隔ｄｍを用いて眼圧測定部２０（第２測定部）の両被検眼Ｅに対する左右切換移動を行って、ステップＳ１３へ進む。このステップＳ１２では、被検眼ＥＲの眼圧を測定した後であって、被検眼ＥＬの眼圧は未だ測定していないことから、装置本体部１３を被検眼ＥＬ側（Ｘ軸方向正側）へと移動させて、被検眼ＥＲに対する概略アライメントを行う。詳細には、ステップＳ１２では、先ず装置本体部１３を後退させ（Ｚ軸方向負側へと移動させ）て、眼圧測定部２０の気流吹付ノズル２１ｂを被検眼ＥＲから遠ざける。本実施例では、Ｚ軸方向の移動可能な範囲における最後方まで、装置本体部１３を後退させる。その後、ステップＳ１２では、ステップＳ６で算出して記憶した両眼間隔ｄｍだけ被検眼ＥＬ側（基本的にＸ軸方向正側で場合によってはＹ軸方向やＺ軸方向の移動も伴う）へと移動させる。これにより、被検眼Ｅの左右切換移動（この例では、被検眼ＥＲから被検眼ＥＬ）が完了する。すなわち、ステップＳ１２では、実質的に、ステップＳ１１での自動アライメントにより眼圧測定部２０が被検眼ＥＲに対して適切とされた位置を基準として、装置本体部１３すなわち眼圧測定部２０を両眼間隔ｄｍだけ被検眼ＥＬ側に移動させている。なお、ステップＳ１１において、眼圧測定部２０（第２測定部）の前眼部観察光学系２１（第２観察光学系）で取得した前眼部（角膜Ｅｃ）の画像（そのデータ）において瞳孔Ｅｐの中心位置あるいは輝点像（角膜頂点Ｅａ）の位置を検出することができる位置まで移動するものとした場合には、上述したようにズレ量を補正値として用いて、両眼間隔ｄｍだけ移動させる基準位置を定める。
【０１１５】
ステップＳ１３では、ステップＳ１２での両眼間隔ｄｍを用いた眼圧測定部２０（第２測定部）の両被検眼Ｅに対する左右切換移動に続き、眼圧測定部２０（第２測定部）の被検眼ＥＬに対する自動アライメントを実行して、ステップＳ１４へ進む。このステップＳ１３では、ステップＳ９と同様に、被検眼ＥＬに対する自動アライメントを行う。すると、装置本体部１３がＺ軸方向正側へと移動されて、眼圧測定部２０が被検眼ＥＬに近付いていき、その気流吹付ノズル２１ｂの先端を被検眼ＥＬから第２設定作動距離ｄ２に位置するものとされる。これにより、眼圧測定部２０の光軸Ｏ１上に被検眼ＥＬが位置されるとともに、眼圧測定部２０の先端が被検眼ＥＬから第２設定作動距離ｄ２に位置するものとされて、眼圧測定部２０が被検眼ＥＬに適合する位置とされる。
【０１１６】
ステップＳ１４では、ステップＳ１３での眼圧測定部２０（第２測定部）の被検眼ＥＬに対する自動アライメントの実行に続き、眼圧測定部２０（第２測定部）による被検眼ＥＬの眼圧の測定を行って、左右眼切換動作処理（左右眼切換動作方法）を終了する。このステップＳ１４では、上述したように、眼圧測定部２０による被検眼ＥＬの眼圧の測定を実行する。
【０１１７】
次に、眼科装置１０を用いて、眼特性測定部４０（第１測定部）により両被検眼Ｅの眼特性を測定し、かつ眼圧測定部２０（第２測定部）により両被検眼Ｅの眼圧を測定する際の左右眼切換動作方法に関する動作について説明する。
【０１１８】
先ず、眼特性測定部４０（第１測定部）による測定を開始する操作が為されると、図９のフローチャートにおいて、ステップＳ１→ステップＳ２へと進むことにより、被検眼ＥＬに対する自動アライメントを実行した後に眼特性測定部４０（第１測定部）による被検眼ＥＬの眼特性の測定を行う（図７（ａ）参照）。その後、図９のフローチャートにおいて、ステップＳ３→ステップＳ４→ステップＳ５→ステップＳ６へと進むことにより、ステップＳ３で被検眼ＥＬに適合する位置とされた眼特性測定部４０（第１測定部）と、ステップＳ５で被検眼ＥＲに適合する位置とされた眼特性測定部４０（第１測定部）と、から、両被検眼Ｅ（被検眼ＥＬと被検眼ＥＲと）の両眼間隔ｄｍを算出して記憶する。その後、図９のフローチャートにおいて、ステップＳ７→ステップＳ８へと進むことにより、被検眼ＥＲに適合する位置とされた眼特性測定部４０（第１測定部）により当該被検眼ＥＲの眼特性の測定を行い（図７（ｂ）参照）、眼圧測定モードへと切り換えられる（図５の（ｂ）から（ａ）を参照）。
【０１１９】
そして、図９のフローチャートにおいて、ステップＳ９→ステップＳ１０へと進むことにより、被検眼ＥＲに対する自動アライメントを実行した後に眼圧測定部２０（第２測定部）による被検眼ＥＲの眼圧の測定が行われる（図１０（ａ）参照）。その後、図９のフローチャートにおいて、ステップＳ１１へと進むことにより、自動アライメントが行われて眼圧測定部２０（第２測定部）が被検眼ＥＲに適合する位置とされる（図１０（ａ）参照）。そして、図９のフローチャートにおいて、ステップＳ１２へと進むことにより、ステップＳ１１での自動アライメントにより被検眼ＥＲに適合する位置（その眼圧測定部２０）を基準として、その眼圧測定部２０（第２測定部）を被検眼ＥＬ側へと両眼間隔ｄｍだけ移動させる（図１０の（ａ）から（ｃ）参照）。その後、図９のフローチャートにおいて、ステップＳ１３→ステップＳ１４へと進むことにより、被検眼ＥＬに対する自動アライメントを実行した後に眼圧測定部２０（第２測定部）による被検眼ＥＬの眼圧の測定を行う（図１０（ｄ）参照）。
【０１２０】
このように、眼科装置１０では、基本的に、眼特性測定部４０（第１測定部）を用いて被検者の左右の被検眼Ｅを測定する際に求めた両被検眼Ｅの両眼間隔ｄｍを用いて、眼圧測定部２０（第２測定部）による測定の際の左右の被検眼Ｅの切り換えを行っている。これは、眼圧測定部２０を用いた瞳孔Ｅｐの検出により被検眼Ｅに対する左右切換移動を行うと以下のような問題点が生じることによる。以下では、この問題点について、図１０および図１１を用いて説明する。なお、この問題点は、眼科装置１０においても同様の問題点が生じ得るものであることから、眼科装置１０を用いて説明する。
【０１２１】
第２測定部としての眼圧測定部２０では、上述したように第２設定作動距離ｄ２が非常に小さな値とされている。このため、眼圧測定部２０では、一方の被検眼Ｅ（例えば被検眼ＥＲ）を測定した（図１０（ａ）参照）後に、一度被検者（各被検眼Ｅ）から第２設定作動距離ｄ２よりも大きく離れた状態としてからＸ軸方向へと移動（図１０（ｂ）、（ｃ）参照）させる必要がある。これは、眼圧測定部２０では、第２設定作動距離ｄ２としたままでＸ軸方向へと移動すると、その先端（気流吹付ノズル２１ｂ）が被検者（主にその鼻）と干渉してしまうことによる。
【０１２２】
この眼圧測定部２０では、前眼部観察光学系２１のＣＣＤカメラ２１ｉで前眼部の画像を取得して、当該画像（そのデータ）を制御部３３に出力する。このため、眼圧測定部２０では、眼特性測定部４０と同様に、入力された画像（そのデータ）において、被検眼Ｅ（角膜Ｅｃ）における瞳孔Ｅｐの位置を検出することが可能とされている。ところが、眼圧測定部２０では、第２設定作動距離ｄ２が非常に小さな値とされているとともに、上述したようにＸ軸方向へと移動される際には第２設定作動距離ｄ２よりも大きく離れた状態とされる。また、前眼部観察光学系２１は、眼圧測定部２０での測定のために設けられているものであることから、当該眼圧測定部２０の第２設定作動距離ｄ２とされている被検眼Ｅに対して適切にピントが合わせられている。このため、眼圧測定部２０（制御部３３）では、前眼部（瞳孔Ｅｐ）の画像がぼやけたものとなってしまい、適切に瞳孔Ｅｐを検出することが困難となってしまう。
【０１２３】
なお、本実施例の眼圧測定部２０（眼科装置１０）では、合焦駆動機構２１Ｄを介してＣＣＤカメラ２１ｉの光軸Ｏ１上での位置を第２焦点位置ｆ２（図３参照）とすることにより、被検眼Ｅ（その前眼部（角膜Ｅｃ））の画像を適切に表示部１４に表示させることが可能とされている。このため、眼科装置１０（眼圧測定部２０）では、このピントが合わないことによる問題は基本的には解消されている。
【０１２４】
また、眼圧測定部２０では、前眼部観察光学系２１が、気流吹付ノズル２１ｂの外を通り、前眼部窓ガラス２１ｃ（後述するガラス板３４ｂも含む）、チャンバー窓ガラス２１ｄ、ハーフミラー２１ｇおよびハーフミラー２１ｅを透過し、対物レンズ２１ｆにより集束されて、ＣＣＤカメラ２１ｉ（その受光面）上に形成することで、被検眼Ｅの前眼部像（その光束）を取得するものとされている（図３等参照）。このため、前眼部観察光学系２１で取得した画像（表示部１４の画面上）には、図１１に示すように、ピントのずれた状態の気流吹付ノズル２１ｂの影が、ぼやけつつ存在することとなる。そして、このピントのずれた状態の気流吹付ノズル２１ｂ（その影）は、瞳孔Ｅｐとして誤って検出されてしまう虞がある。このことは、特にピントが合わない状態で瞳孔Ｅｐを検出している際には、画像（表示部１４の画面上）では瞳孔Ｅｐと気流吹付ノズル２１ｂ（その影）と双方が似たような映像となり得るので、可能性が高まる虞がある。
【０１２５】
この瞳孔Ｅｐの誤検出は、自動で行う概略アライメントに要する時間の増加を招いてしまったり、概略アライメントが出来なくなってしまったりする虞がある。これらのことから、第２設定作動距離ｄ２が非常に小さな値とされた眼圧測定部２０（第２測定部）では、一方の被検眼Ｅ（例えば被検眼Ｅ）に適合する位置から他方の被検眼Ｅに適合する位置へと自動で移動させる際の自動での概略アライメントを行うことの精度を高めることが望ましい。
【０１２６】
これに対して、本発明に係る眼科装置の一実施例としての眼科装置１０では、眼特性測定部４０（第１測定部）を用いて被検者の左右の被検眼Ｅを測定する際に両被検眼Ｅの両眼間隔ｄｍを求め、その求めた両眼間隔ｄｍを用いて眼圧測定部２０（第２測定部）による測定の際の左右の被検眼Ｅの切り換えを行う。このため、眼科装置１０では、瞳孔Ｅｐを誤検出し得る眼圧測定部２０（第２測定部）の第２観察光学系（前眼部観察光学系２１）を用いることなく両眼間隔ｄｍを用いて眼圧測定部２０（第２測定部）を他方の被検眼Ｅ側へと移動させるので、迷ったりすることなく確実に他方の被検眼Ｅ（その瞳孔Ｅｐ）に対向する位置へと眼圧測定部２０（第２測定部）を移動させることができる。これにより、眼科装置１０では、眼圧測定部２０（第２測定部）を他方の被検眼Ｅに適合する位置へと自動で適切に移動させることを可能とすることができる。
【０１２７】
また、眼科装置１０では、眼圧測定部２０（第２測定部）による測定の際の左右の被検眼Ｅの切り換えの際、眼圧測定部２０（第２測定部）の前眼部観察光学系２１で検出した瞳孔Ｅｐを用いることがないので、その前眼部観察光学系２１での瞳孔Ｅｐの誤検出の影響を受けることを防止することができる。
【０１２８】
さらに、眼科装置１０では、迷ったりすることなく確実に他方の被検眼Ｅ（その瞳孔Ｅｐ）に対向する位置へと眼圧測定部２０（第２測定部）を移動させることができるので、その他方の被検眼Ｅに対する眼圧測定部２０（第２測定部）のアライメントを適切にかつ迅速に行うことができる。このため、眼科装置１０では、眼圧測定部２０（第２測定部）を他方の被検眼Ｅに適合する位置へと自動で適切に移動させることを可能とすることができる。
【０１２９】
眼科装置１０では、眼圧測定部２０（第２測定部）の前眼部観察光学系２１で検出した瞳孔Ｅｐを用いることがないので、眼圧測定部２０（眼科装置１０）に設けた合焦駆動機構２１Ｄを介してＣＣＤカメラ２１ｉの光軸Ｏ１上での位置を第２焦点位置ｆ２としなくても、眼圧測定部２０（第２測定部）を他方の被検眼Ｅに適合する位置へと自動で適切に移動させることができる。このため、眼科装置１０では、眼圧測定部２０（眼科装置１０）の合焦駆動機構２１Ｄを無くすことができる。このことから、その合焦駆動機構２１Ｄに相当する機構が設けられていない眼科装置であっても、眼圧測定部２０（第２測定部）を他方の被検眼Ｅに適合する位置へと自動で適切に移動させることを可能とすることができる。
【０１３０】
眼科装置１０では、眼圧測定部２０（第２測定部）を用いて一方の被検眼Ｅを測定した後、一方の被検眼Ｅに対する眼圧測定部２０（第２測定部）のアライメントを行ってから、先に求めた両眼間隔ｄｍだけ他方の被検眼Ｅ側へと眼圧測定部２０（第２測定部）を移動させる。このため、眼圧測定部２０（第２測定部）を用いた一方の被検眼Ｅを測定の後に、被検者が顔を動かしてしまった場合であっても、その動かされた顔における一方の被検眼Ｅの位置を基準として両眼間隔ｄｍだけ眼圧測定部２０（第２測定部）を移動させるので、より適切に他方の被検眼Ｅに対向する位置へと自動で眼圧測定部２０（第２測定部）を移動させることができる。
【０１３１】
眼科装置１０では、第２測定部を眼圧測定部２０としていることから、上記したように眼圧測定部２０（第２測定部）を用いて一方の被検眼Ｅを測定した後、一方の被検眼Ｅに対する眼圧測定部２０（第２測定部）のアライメントを行うことをより効果的なものとすることができる。これは、眼圧測定部２０では、被検眼Ｅの角膜Ｅｃに流体を吹き付けて当該角膜Ｅｃを変形させて眼圧を測定するものであることから、被検者によっては流体の吹き付けに驚いたり違和感を覚えたりすることで顔を動かしてしまう場面が多々生じ得ることによる。
【０１３２】
眼科装置１０では、一方の被検眼Ｅに対してアライメントを行った眼特性測定部４０（第１測定部）の位置と、他方の被検眼Ｅに対してアライメントを行った眼特性測定部４０（第１測定部）の位置と、に基づいて両眼間隔ｄｍを求めている。このため、眼科装置１０では、より適切に両眼間隔ｄｍを求めることができる。
【０１３３】
眼科装置１０では、眼特性測定部４０（第１測定部）を用いて一方の被検眼Ｅを測定した後に一方の被検眼Ｅに対してアライメントを行った眼特性測定部４０（第１測定部）の位置と、その後に他方の被検眼Ｅに対してアライメントを行った眼特性測定部４０（第１測定部）の位置と、に基づいて両眼間隔ｄｍを求めている。このため、眼科装置１０では、眼特性測定部４０（第１測定部）を用いた一方の被検眼Ｅを測定の後に、被検者が顔を動かしてしまった場合であっても、その動かされた顔における一方の被検眼Ｅの位置を基準として両眼間隔ｄｍを求めることができるので、より適切に両眼間隔ｄｍを求めることができる。
【０１３４】
眼科装置１０では、眼特性測定部４０（第１測定部）を用いて一方の被検眼Ｅを測定した後、眼特性測定部４０（第１測定部）の観察光学系４２で取得した前眼部の画像に基づいて検出した瞳孔Ｅｐの位置を目標として他方の被検眼Ｅ側へと眼特性測定部４０（第１測定部）を移動させる。ここで、眼特性測定部４０（第１測定部）では、比較的大きな第１設定作動距離ｄ１に設定されていることから、左右の被検眼Ｅの切り換えの際に後退させることなく他方の被検眼Ｅ側へと移動させることができるので、瞳孔Ｅｐの誤検出は基本的に生じない。このため、眼科装置１０では、眼特性測定部４０（第１測定部）により高い精度で両眼間隔ｄｍを求めることができ、その両眼間隔ｄｍを用いて眼圧測定部２０（第２測定部）を他方の被検眼Ｅ側へと移動させるので、当該眼圧測定部２０（第２測定部）を他方の被検眼Ｅに対向する位置へと自動で適切に移動させることができる。
【０１３５】
眼科装置１０では、制御部３３が、一方の被検眼Ｅを測定した際の眼特性測定部４０（第１測定部）のＸＹＺの各方向での位置と、他方の被検眼Ｅを測定した際の眼特性測定部４０（第１測定部）のＸＹＺの各方向での位置と、を記憶する。そして、眼科装置１０では、制御部３３が、双方のＸＹＺの各方向での位置の差分を求めることで左右の被検眼Ｅの間隔である両眼間隔ｄｍを求め、その求めた両眼間隔ｄｍを記憶する。このため、眼科装置１０では、駆動部１２におけるＹ軸駆動部分１２ａとＺ軸駆動部分１２ｂとＸ軸駆動部分１２ｃとのそれぞれの移動量（その移動のための制御量（本実施例ではパルス数））を用いて眼圧測定部２０（第２測定部）を移動させることができる。これにより、眼科装置１０では、駆動部１２により眼特性測定部４０（第１測定部）を移動させた大きさおよび方向（両眼間隔ｄｍ）と、全く等しい大きさおよび方向（両眼間隔ｄｍ）で眼圧測定部２０（第２測定部）を移動させることができる。よって、眼科装置１０では、移動のための制御を簡易なものとしつつ、眼圧測定部２０（第２測定部）を他方の被検眼Ｅとより適切に対向する位置へと自動で移動させることができる。
【０１３６】
眼科装置１０では、両被検眼Ｅの角膜Ｅｃの角膜頂点Ｅａ（その位置）を用いて両眼間隔ｄｍを求めている。このため、眼科装置１０では、被検眼Ｅの眼圧を測定するものであって、被検眼Ｅの角膜Ｅｃの角膜頂点Ｅａ（その位置）に光軸Ｏ１を一致させて測定を行う眼圧測定部２０（第２測定部）の態様により適切に合致させることができ、眼圧測定部２０（第２測定部）を他方の被検眼Ｅとより適切に対向する位置へと自動で移動させることができる。
【０１３７】
眼科装置１０では、一方の被検眼Ｅに対してアライメントを行った眼特性測定部４０（第１測定部）の位置と、他方の被検眼Ｅに対してアライメントを行った眼特性測定部４０（第１測定部）の位置と、に基づいて両眼間隔ｄｍを求めているので、装置本体部１３の位置を用いて両被検眼Ｅの角膜頂点Ｅａから両眼間隔ｄｍを求めている。このため、眼科装置１０では、より簡易に眼圧測定部２０（第２測定部）の態様により適切に合致させることができ、眼圧測定部２０（第２測定部）を他方の被検眼Ｅとより適切に対向する位置へと自動で移動させることができる。
【０１３８】
眼科装置１０では、眼特性測定部４０（第１測定部）の観察光学系４２（第１観察光学系）で取得した前眼部（角膜Ｅｃ）の画像（そのデータ）を用いて両眼間隔ｄｍを求めるものとすることができる。このため、眼科装置１０では、眼特性測定部４０（第１測定部）の被検眼Ｅに対するアライメントを正確に行うことなく、適切な両眼間隔ｄｍを求めることができる。これにより、眼科装置１０では、より簡易に眼圧測定部２０（第２測定部）を他方の被検眼Ｅとより適切に対向する位置へと自動で移動させることができる。
【０１３９】
眼科装置１０では、眼特性測定部４０（第１測定部）の観察光学系４２（第１観察光学系）で取得した前眼部（角膜Ｅｃ）の画像（そのデータ）における瞳孔Ｅｐの中心位置を用いて両眼間隔ｄｍを求めるものとすることができる。このため、眼科装置１０では、光軸を角膜頂点Ｅａに一致させるようにアライメントを行うものではない場合であっても、眼圧測定部２０（第２測定部）を他方の被検眼Ｅとより適切に対向する位置へと自動で移動させることができる。これは、例えば、眼特性測定部４０（第１測定部）により眼屈折力を測定する場合には、光軸を瞳孔Ｅｐの中心位置に一致させるようにアライメントを行う場合があることや、被検眼Ｅが白内障眼であって水晶体に混濁がある場合には当該混濁を避けてアライメントを行う場合があることによる。このような場合、眼特性測定部４０（第１測定部）の観察光学系４２（第１観察光学系）で取得した前眼部（角膜Ｅｃ）の画像（そのデータ）において、被検眼Ｅにおける瞳孔Ｅｐの中心位置と角膜頂点Ｅａとのズレ量（大きさおよび方向）を検出し、両眼間隔ｄｍを用いて眼圧測定部２０（第２測定部）を移動させた後に当該ズレ量の補正を行うことが望ましい。
【０１４０】
眼科装置１０では、眼圧測定部２０（第２測定部）における前眼部観察光学系２１（第２観察光学系）の倍率を、眼特性測定部４０（第１測定部）における観察光学系４２（第１観察光学系）の倍率よりも高く設定することができる。すると、眼科装置１０では、眼圧測定部２０（第２測定部）におけるアライメントの精度を高めることができるので、眼圧測定部２０（第２測定部）による被検眼Ｅの眼圧の測定結果が、アライメントの精度の低下の影響を受けることを防止することができる。すなわち、眼科装置１０では、眼圧測定部２０（第２測定部）により、より確実に被検眼Ｅの眼圧の適切な測定結果を得ることができる。ところが、上記したような設定とすると、眼圧測定部２０（第２測定部）の前眼部観察光学系２１（第２観察光学系）では、撮像範囲が狭くなることから瞳孔Ｅｐの検出が困難となるともに、焦点深度が浅くなることからピントがボケやすくなってしまう。このため、眼科装置１０では、眼圧測定部２０（第２測定部）の前眼部観察光学系２１（第２観察光学系）により瞳孔Ｅｐを検出することがさらに困難となってしまう。このことから、眼科装置１０では、上記したような設定とすると、眼圧測定部２０（第２測定部）の前眼部観察光学系２１（第２観察光学系）を用いることなく、両眼間隔ｄｍを用いて眼圧測定部２０（第２測定部）を他方の被検眼Ｅ側へと移動させることを、より効果的なものとすることができる。
【０１４１】
したがって、本発明に係る眼科装置の一実施例としての眼科装置１０では、第１設定作動距離ｄ１よりも小さな値の第２設定作動距離ｄ２に設定された眼圧測定部２０（第２測定部）を、一方の被検眼Ｅに適合する位置から他方の被検眼Ｅに適合する位置へと自動で適切に移動させることができる。
【０１４２】
なお、上記した実施例では、本発明に係る眼科装置の一実施例としての眼科装置１０について説明したが、被検者の被検眼を測定するために第１設定作動距離に設定された第１測定部と、前記被検眼を測定するために前記第１設定作動距離よりも短い第２設定作動距離に設定された第２測定部と、前記被検眼に対して前記第１測定部と前記第２測定部とを移動させる駆動部と、前記第１測定部と前記第２測定部と前記駆動部とを制御する制御部と、を備え、前記制御部は、前記第１測定部を用いて前記被検者の左右の前記被検眼を測定すべく前記第１測定部を移動させた際に左右の前記被検眼の両眼間隔を求め、前記第２測定部を用いて一方の前記被検眼を測定した後、求めた前記両眼間隔だけ他方の前記被検眼側へと前記第２測定部を移動させる眼科装置であればよく、上記した実施例に限定されるものではない。
【０１４３】
また、上記した実施例では、眼圧測定部２０（第２測定部）を用いて一方の被検眼Ｅを測定した後、一方の被検眼Ｅに対する眼圧測定部２０（第２測定部）のアライメントを行ってから、求めた両眼間隔ｄｍだけ他方の被検眼Ｅ側へと眼圧測定部２０（第２測定部）を移動させている。しかしながら、眼圧測定部２０（第２測定部）を用いて一方の被検眼Ｅを測定したら、その位置から求めた両眼間隔ｄｍだけ他方の被検眼Ｅ側へと眼圧測定部２０（第２測定部）を移動させるものであってもよく、上記した実施例に限定されるものではない。これは、眼圧測定部２０（第２測定部）を用いて一方の被検眼Ｅを測定する際には、当該一方の被検眼Ｅに対する眼圧測定部２０（第２測定部）のアライメントが完了していることによる。
【０１４４】
さらに、上記した実施例では、眼特性測定部４０（第１測定部）を用いて一方の被検眼Ｅを測定した後に一方の被検眼Ｅに対してアライメントを行った眼特性測定部４０（第１測定部）の位置と、その後に他方の被検眼Ｅに対してアライメントを行った眼特性測定部４０（第１測定部）の位置と、に基づいて両眼間隔ｄｍを求めている。しかしながら、眼特性測定部４０（第１測定部）を用いて一方の被検眼Ｅを測定した位置と、その後に他方の被検眼Ｅに対してアライメントを行った眼特性測定部４０（第１測定部）の位置と、に基づいて両眼間隔ｄｍを求めるものであってもよく、上記した実施例に限定されるものではない。これは、眼特性測定部４０（第１測定部）を用いて一方の被検眼Ｅを測定する際には、当該一方の被検眼Ｅに対する眼特性測定部４０（第１測定部）のアライメントが完了していることによる。
【０１４５】
上記した実施例では、第２測定部として眼圧測定部２０を搭載していたが、第１設定作動距離ｄ１よりも小さな値の第２設定作動距離ｄ２に設定されていれば、光学的な構成、各光学部材の配置および測定原理が異なる眼圧測定部であってもよく、角膜の厚さを測定（角膜厚測定）するパキメータであってもよく、上記した実施例に限定されるものではない。
【０１４６】
上記した実施例では、眼特性測定部４０（第１測定部）において、その観察光学系４２で取得した前眼部の画像に基づいて検出した瞳孔Ｅｐの位置を目標として他方の被検眼Ｅ側へと眼特性測定部４０（第１測定部）を移動させている。しかしながら、眼特性測定部４０（第１測定部）を用いて一方の被検眼Ｅを測定した後、自動で他方の被検眼Ｅに対向する位置へと眼特性測定部４０（第１測定部）を移動させるものであればよく、上記した実施例に限定されるものではない。
【０１４７】
上記した実施例では、第１測定部として眼特性測定部４０を搭載していたが、被検眼Ｅからの反射光を受光して当該被検眼Ｅの光学特性を測定するものであれば、光学的な構成、各光学部材の配置および測定原理が異なるものであってもよく、測定の内容（種類）が異なるものであってもよく、上記した実施例に限定されるものではない。
【０１４８】
上記した実施例では、眼圧測定部２０においてＣＣＤカメラ２１ｉの位置を第１焦点位置ｆ１と第２焦点位置ｆ２とで切り替えるものとしていたが、ＣＣＤカメラ２１ｉを移動させることで被検眼Ｅの前眼部（角膜Ｅｃ）にピントを合わせるものであれば、その移動の態様は適宜設定すればよく、上記した実施例に限定されるものではない。
【０１４９】
上記した実施例では、第２測定部としての眼圧測定部２０の下方に第１測定部としての眼特性測定部４０が一体的に設けられていたが、第１測定部と第２測定部との位置関係は適宜設定すればよく、また第１測定部と第２測定部とは個別に駆動部により移動可能とされていてもよく、上記した実施例に限定されるものではない。
【０１５０】
以上、本発明の眼科装置を実施例に基づき説明してきたが、具体的な構成については実施例に限られるものではなく、本発明の要旨を逸脱しない限り、設計の変更や追加等は許容される。
【符号の説明】
【０１５１】
１０  眼科装置
１２  駆動部
２０  （第２測定部の一例としての）眼圧測定部
２１  （第２１観察光学系の一例としての）前眼部観察光学系
３３  制御部
４０  （第１測定部の一例としての）眼特性測定部
４２  （第１観察光学系の一例としての）観察光学系
Ｅ  被検眼
Ｅｃ  角膜
Ｅｐ  瞳孔
ｄ１  第１設定作動距離
ｄ２  第２設定作動距離
ｄｍ  両眼間隔
【図１】
2015112438.tif 000003
【図２】
2015112438.tif 000004
【図３】
2015112438.tif 000005
【図４】
2015112438.tif 000006
【図５】
2015112438.tif 000007
【図６】
2015112438.tif 000008
【図７】
2015112438.tif 000009
【図８】
2015112438.tif 000010
【図９】
2015112438.tif 000011
【図１０】
2015112438.tif 000012
【図１１】
2015112438.tif 000013